(57)【特許請求の範囲】
【請求項１】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第１単純遊星ギヤセットのリングギヤは、第３単純遊星ギヤセットのリングギヤに固定的に連結され、
第２単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項２】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第１単純遊星ギヤセットのリングギヤは、固定連結された前記第３単純遊星ギヤセットのリングギヤと前記第４単純遊星ギヤセットの遊星キャリアに固定的に連結され、
第２単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項３】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
固定連結された前記第１単純遊星ギヤセットの遊星キャリアと前記第２単純遊星ギヤセットのリングギヤは、第１クラッチを介して固定連結された前記第３単純遊星ギヤセットの太陽ギヤと第４単純遊星ギヤセットのリングギヤに可変連結され、
固定連結された前記第１単純遊星ギヤセットの遊星キャリアと前記第２単純遊星ギヤセットのリングギヤは、第２クラッチを介して前記第３単純遊星ギヤセットの遊星キャリアに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項４】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの太陽ギヤに可変連結され、
固定連結された前記第１単純遊星ギヤセットの遊星キャリアと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項５】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットのリングギヤに可変連結され、
固定連結された前記第１単純遊星ギヤセットの遊星キャリアと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項６】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
第１単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項７】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットの遊星キャリアに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセ−ットの太陽ギヤは、第２クラッチを介して前記第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項８】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して前記第３単純遊星ギヤセットの遊星キャリアに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項９】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項１０】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項１１】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第１単純遊星ギヤセットのリングギヤは、前記第４単純遊星ギヤセットの遊星キャリアに固定的に連結され、
第２単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して固定連結された前記第３単純遊星ギヤセットのリングギヤと前記第４単純遊星ギヤセットのリングギヤに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項１２】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第１単純遊星ギヤセットのリングギヤは、第３単純遊星ギヤセットのリングギヤに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項１３】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第１単純遊星ギヤセットのリングギヤは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項１４】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第１単純遊星ギヤセットのリングギヤは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項１５】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第１単純遊星ギヤセットのリングギヤは、固定連結された前記第３単純遊星ギヤセットの遊星キャリアと前記第４単純遊星ギヤセットのリングギヤに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの遊星キャリアは、第１クラッチを介して前記第４単純遊星ギヤセットの太陽ギヤに可変連結され、
前記第２単純遊星ギヤセットの遊星キャリアは、第２クラッチを介して前記第３単純遊星ギヤセットのリングギヤに可変連結され、
前記第１単純遊星ギヤセットの遊星キャリアは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項１６】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第１単純遊星ギヤセットのリングギヤは、第４単純遊星ギヤセットの遊星キャリアに固定的に連結され、
第２単純遊星ギヤセットの太陽ギヤは、入力軸に固定連結されて入力要素として作用し、
固定連結された前記第３単純遊星ギヤセットの遊星キャリアと前記第４単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの遊星キャリアに可変連結され、
前記第２単純遊星ギヤセットの遊星キャリアは、第２クラッチを介して固定連結された前記第３単純遊星ギヤセットのリングギヤと前記第４単純遊星ギヤセットのリングギヤに可変連結され、
前記第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項１７】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第１単純遊星ギヤセットのリングギヤは、固定連結された前記第３単純遊星ギヤセットの遊星キャリアと前記第４単純遊星ギヤセットのリングギヤに固定的に連結され、
第２単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの遊星キャリアは、第１クラッチを介して前記第３単純遊星ギヤセットの太陽ギヤに可変連結され、
前記第２単純遊星ギヤセットの遊星キャリアは、第２クラッチを介して前記第３単純遊星ギヤセットのリングギヤに可変連結され、
前記第１単純遊星ギヤセットの遊星キャリアは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項１８】
シングルピニオン遊星ギヤセットである第１単純遊星ギヤセットとシングルピニオン遊星ギヤセットである第２単純遊星ギヤセットを含み、第１単純遊星ギヤセットの太陽ギヤを第２単純遊星ギヤセットの遊星キャリアに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第１単純遊星ギヤセットのリングギヤは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの遊星キャリアは、第１クラッチを介して前記第４単純遊星ギヤセットの太陽ギヤに可変連結され、
前記第２単純遊星ギヤセットの遊星キャリアは、第２クラッチを介して第３単純遊星ギヤセットの遊星キャリアに可変連結され、
前記第１単純遊星ギヤセットの遊星キャリアは、第１ブレーキを介して変速機ハウジングに可変連結され、そして
前記第４単純遊星ギヤセットの遊星キャリアは、第２ブレーキを介して前記変速機ハウジングに可変連結されることを特徴とする車両用５速自動変速機のパワートレイン。
【請求項１９】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの遊星キャリアに可変連結され、
固定連結された前記第１単純遊星ギヤセットの遊星キャリアと前記第２単純遊星ギヤセットのリングギヤは、第２クラッチを介して固定連結された前記第３単純遊星ギヤセットの遊星キャリアと前記第４単純遊星ギヤセットのリングギヤに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項２０】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの遊星キャリアは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの遊星キャリアに可変連結され、
固定連結された前記第１単純遊星ギヤセットの遊星キャリアと前記第２単純遊星ギヤセットのリングギヤは、第２クラッチを介して固定連結された前記第３単純遊星ギヤセットのリングギヤと前記第４単純遊星ギヤセットのリングギヤに可変連結され、
前記第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項２１】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギアに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの太陽ギヤに可変連結され、
固定連結された前記第１単純遊星ギヤセットの遊星キャリアと前記第２単純遊星ギヤセットのリングギヤは、第２クラッチを介して固定連結された前記第３単純遊星ギヤセットのリングギヤと前記第４単純遊星ギヤセットのリングギヤのうちのいずれか一つに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項２２】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの太陽ギヤに可変連結され、
固定連結された前記第１単純遊星ギヤセットの遊星キャリアと前記第２単純遊星ギヤセットのリングギヤは、第２クラッチを介して第３単純遊星ギヤセットのリングギヤに可変連結され、
第１単純遊星ギヤセットのリングギヤは、第１ブレーキを介して変速機ハウジングに可変連結され、そして
固定連結された前記第３単純遊星ギヤセットの太陽ギヤと前記第４単純遊星ギヤセットの遊星キャリアは、第２ブレーキを介して前記変速機ハウジングに可変連結されることを特徴とする車両用５速自動変速機のパワートレイン。
【請求項２３】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項２４】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項２５】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項２６】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、固定連結された前記第３単純遊星ギヤセットの遊星キャリアと前記第４単純遊星ギヤセットのリングギヤに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの太陽ギヤは、第１クラッチを介して前記第４単純遊星ギヤセットの太陽ギヤに可変連結され、
前記第２単純遊星ギヤセットの太陽ギヤは、第２クラッチを介して第３単純遊星ギヤセットのリングギヤに可変連結され、
固定連結された前記第１単純遊星ギヤセットのリングギヤと前記第２単純遊星ギヤセットのリングギヤは、第１ブレーキを介して変速機ハウジングに可変連結され、そして
前記第４単純遊星ギヤセットの遊星キャリアは、第２ブレーキを介して前記変速機ハウジングに可変連結されることを特徴とする車両用５速自動変速機のパワートレイン。
【請求項２７】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して固定連結された前記第３単純遊星ギヤセットの遊星キャリアと前記第４単純遊星キャリアのリングギヤに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項２８】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、前記第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項２９】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項３０】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、前記第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して第３単純遊星ギヤセットのリングギヤに可変連結され、
第１単純遊星ギヤセットの遊星キャリアは、第１ブレーキを介して変速機ハウジングに可変連結され、そして
固定連結された前記第３単純遊星ギヤセットの太陽ギヤと前記第４単純遊星ギヤセットの遊星キャリアは、第２ブレーキを介して前記変速機ハウジングに可変連結されることを特徴とする車両用５速自動変速機のパワートレイン。
【請求項３１】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの太陽ギヤに可変連結され、
固定連結された前記第１単純遊星ギヤセットの遊星キャリアと前記第２単純遊星ギヤセットのリングギヤは、第２クラッチを介して前記第４単純遊星ギヤセットの遊星キャリアに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項３２】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットのリングギヤに可変連結され、
固定連結された前記第１単純遊星ギヤセットの遊星キャリアと前記第２単純遊星ギヤセットのリングギヤは、第２クラッチを介して固定連結された前記第３単純遊星ギヤセットの遊星キャリアと前記第４単純遊星ギヤセットの遊星キャリアに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項３３】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、前記第４単純遊星ギヤセットの遊星キャリアに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項３４】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、固定連結された第３単純遊星ギヤセットのリングギヤと第４単純遊星ギヤセットのリングギヤに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して前記第４単純遊星ギヤセットの遊星キャリアに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項３５】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットの遊星キャリアと前記第４単純遊星ギヤセットの遊星キャリアに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項３６】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの遊星キャリアと前記第２単純遊星ギヤセットのリングギヤは、第１クラッチを介して前記第４単純遊星ギヤセットの遊星キャリアに可変連結され、
固定連結された前記第１単純遊星ギヤセットの遊星キャリアと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項３７】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットの遊星キャリアに固定的に連結され、
第１単純遊星ギヤセットの太陽ギヤは、入力軸に固定連結されて入力要素として作用し、
固定連結された前記第３単純遊星ギヤセットの太陽ギヤと前記第４単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して固定連結された前記第３単純遊星ギヤセットの太陽ギヤと前記第４単純遊星ギヤセットの太陽ギヤに可変連結され、
固定連結された前記第１単純遊星ギヤセットの遊星キャリアと前記第２単純遊星ギヤセットのリングギヤは、第２クラッチを介して前記第４単純遊星ギヤセットのリングギヤに可変連結され、
第１単純遊星ギヤセットのリングギヤは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項３８】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの遊星キャリアと前記第２単純遊星ギヤセットのリングギヤは、第１クラッチを介して第３単純遊星ギヤセットの太陽ギヤに可変連結され、
固定連結された前記第１単純遊星ギヤセットの遊星キャリアと前記第２単純遊星ギヤセットのリングギヤは、第２クラッチを介して第４単純遊星ギヤセットのリングギヤに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項３９】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
前記第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
固定連結された前記第１単純遊星ギヤセットの遊星キャリアと前記第２単純遊星ギヤセットのリングギヤは、第１クラッチを介して前記第３単純遊星ギヤセットの太陽ギヤに可変連結され、
固定連結された前記第１単純遊星ギヤセットの遊星キャリアと前記第２単純遊星ギヤセットのリングギヤは、第２クラッチを介して第４単純遊星ギヤセットの遊星キャリアに可変連結され、
第１単純遊星ギヤセットのリングギヤは、第１ブレーキを介して変速機ハウジングに可変連結され、そして
前記第３単純遊星ギヤセットの遊星キャリアは、第２ブレーキを介して前記変速機ハウジングに可変連結されることを特徴とする車両用５速自動変速機のパワートレイン。
【請求項４０】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、第４単純遊星ギヤセットの遊星キャリアに固定的に連結され、
第１単純遊星ギヤセットの太陽ギヤは、入力軸に固定連結されて入力要素として作用し、
固定連結された前記第３単純遊星ギヤセットの遊星キャリアと前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの遊星キャリアに可変連結され、
前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
固定連結された前記第１単純遊星ギヤセットのリングギヤと前記第２単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項４１】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、固定連結された前記第３単純遊星ギヤセットの遊星キャリアと前記第４単純遊星ギヤセットのリングギヤに固定的に連結され、
第１単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して第３単純遊星ギヤセットのリングギヤに可変連結され、
固定連結された前記第１単純遊星ギヤセットのリングギヤと前記第２単純遊星ギヤセットのリングギヤは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項４２】
シングルピニオン遊星ギヤセットである第１単純遊星ギヤセットとダブルピニオン遊星ギヤセットである第２単純遊星ギヤセットを含み、第１単純遊星ギヤセットの遊星キャリアを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの太陽ギヤは、第１クラッチを介して前記第４単純遊星ギヤセットの太陽ギヤに可変連結され、
前記第２単純遊星ギヤセットの太陽ギヤは、第２クラッチを介して第３単純遊星ギヤセットの遊星キャリアに可変連結され、
固定連結された前記第１単純遊星ギヤセットのリングギヤと前記第２単純遊星ギヤセットのリングギヤは、第１ブレーキを介して変速機ハウジングに可変連結され、そして
前記第４単純遊星ギヤセットの遊星キャリアは、第２ブレーキを介して前記変速機ハウジングに可変連結されることを特徴とする車両用５速自動変速機のパワートレイン。
【請求項４３】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項４４】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、固定連結された前記第３単純遊星ギヤセットのリングギヤと前記第４単純遊星ギヤセットの遊星キャリアに固定的に連結され、
第２単純遊星ギヤセットの太陽ギヤは、入力軸に固定連結されて入力要素として作用し、
固定連結された前記第３単純遊星ギヤセットの太陽ギヤと前記第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して第４単純遊星ギヤセットのリングギヤに可変連結され、
第１単純遊星ギヤセットの遊星キャリアは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項４５】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して第４単純遊星ギヤセットのリングギヤに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項４６】
シングルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットのリングギヤを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
第３単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第３単純遊星ギヤセットの太陽ギヤに可変連結され、
固定連結された前記第１単純遊星ギヤセットの太陽ギヤと前記第２単純遊星ギヤセットのリングギヤは、第２クラッチを介して第４単純遊星ギヤセットの遊星キャリアに可変連結され、
第１単純遊星ギヤセットの遊星キャリアは、第１ブレーキを介して変速機ハウジングに可変連結され、そして
前記第３単純遊星ギヤセットの遊星キャリアは、第２ブレーキを介して前記変速機ハウジングに可変連結されることを特徴とする車両用５速自動変速機のパワートレイン。
【請求項４７】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの遊星キャリアに可変連結され、
固定連結された前記第１単純遊星ギヤセットのリングギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項４８】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットの遊星キャリアに固定的に連結され、
前記第１単純遊星ギヤセットの太陽ギヤは、入力軸に固定連結されて入力要素として作用し、
固定連結された前記第３単純遊星ギヤセットの太陽ギヤと前記第４単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して固定連結された前記第３単純遊星ギヤセットの太陽ギヤと前記第４単純遊星ギヤセットの太陽ギヤに可変連結され、
固定連結された前記第１単純遊星ギヤセットのリングギヤと前記第２単純遊星ギヤセットのリングギヤは、第２クラッチを介して第４単純遊星ギヤセットのリングギヤに可変連結され、
第１単純遊星ギヤセットの遊星キャリアは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項４９】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットのリングギヤは、第１クラッチを介して固定連結された前記第３単純遊星ギヤセットの太陽ギヤと前記第４単純遊星ギヤセットに可変連結され、
固定連結された前記第１単純遊星ギヤセットのリングギヤと前記第２単純遊星ギヤセットのリングギヤは、第２クラッチを介して第４単純遊星ギヤセットのリングギヤに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項５０】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
前記第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第３単純遊星ギヤセットの太陽ギヤに可変連結され、
固定連結された前記第１単純遊星ギヤセットのリングギヤと前記第２単純遊星ギヤセットのリングギヤは、第２クラッチを介して第４単純遊星ギヤセットの遊星キャリアに可変連結され、
第１単純遊星ギヤセットの遊星キャリアは、第１ブレーキを介して変速機ハウジングに可変連結され、そして
前記第３単純遊星ギヤセットの遊星キャリアは、第２ブレーキを介して前記変速機ハウジングに可変連結されることを特徴とする車両用５速自動変速機のパワートレイン。
【請求項５１】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、第４単純遊星ギヤセットの遊星キャリアに固定的に連結され、
第１単純遊星ギヤセットの太陽ギヤは、入力軸に固定連結されて入力要素として作用し、
固定連結された前記第３単純遊星ギヤセットの遊星キャリアと前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの遊星キャリアに可変連結され、
前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
固定連結された前記第１単純遊星ギヤセットの遊星キャリアと前記第２単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項５２】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、固定連結された前記第３単純遊星ギヤセットの遊星キャリアと前記第４単純遊星ギヤセットのリングギヤに固定的に連結され、
第１単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットのリングギヤに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項５３】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの太陽ギヤは、第１クラッチを介して前記第４単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
前記第４単純遊星ギヤセットの遊星キャリアは、第２ブレーキを介して前記変速機ハウジングに可変連結されることを特徴とする車両用５速自動変速機のパワートレイン。
【請求項５４】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項５５】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、固定連結された前記第３単純遊星ギヤセットのリングギヤと前記第４単純遊星ギヤセットの遊星キャリアに固定的に連結され、
第２単純遊星ギヤセットの太陽ギヤは、入力軸に固定連結されて入力要素として作用し、
固定連結された前記第３単純遊星ギヤセットの太陽ギヤと前記第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して第４単純遊星ギヤセットのリングギヤに可変連結され、
第１単純遊星ギヤセットのリングギヤは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項５６】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して第４単純遊星ギヤセットのリングギヤに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項５７】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
第３単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第３単純遊星ギヤセットの太陽ギヤに可変連結され、
固定連結された前記第１単純遊星ギヤセットの太陽ギヤと前記第２単純遊星ギヤセットのリングギヤは、第２クラッチを介して第４単純遊星ギヤセットの遊星キャリアに可変連結され、
第１単純遊星ギヤセットのリングギヤは、第１ブレーキを介して変速機ハウジングに可変連結され、そして
前記第３単純遊星ギヤセットの遊星キャリアは、第２ブレーキを介して前記変速機ハウジングに可変連結されることを特徴とする車両用５速自動変速機のパワートレイン。
【請求項５８】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットのリングギヤは、第３単純遊星ギヤセットの遊星キャリアに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの遊星キャリアに可変連結され、
固定連結された前記第１単純遊星ギヤセットのリングギヤと前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項５９】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットのリングギヤは、固定連結された前記第３単純遊星ギヤセットのリングギヤと前記第４単純遊星ギヤセットの遊星キャリアに固定的に連結され、
第１単純遊星ギヤセットの太陽ギヤは、入力軸に固定連結されて入力要素として作用し、
固定連結された前記第３単純遊星ギヤセットの太陽ギヤと前記第４単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して固定連結された前記第３単純遊星ギヤセットの太陽ギヤと前記第４単純遊星ギヤセットの太陽ギヤに可変連結され、
固定連結された前記第１単純遊星ギヤセットのリングギヤと前記第２単純遊星ギヤセットの太陽ギヤは、第２クラッチを介して第４単純遊星ギヤセットのリングギヤに可変連結され、
前記第１単純遊星ギヤセットの遊星キャリアは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項６０】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットのリングギヤは、第３単純遊星ギヤセットのリングギヤに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットの太陽ギヤは、第１クラッチを介して固定連結された前記第３単純遊星ギヤセットの太陽ギヤと前記第４単純遊星ギヤセットの遊星キャリアに可変連結され、
固定連結された前記第１単純遊星ギヤセットのリングギヤと前記第２単純遊星ギヤセットの太陽ギヤは、第２クラッチを介して第４単純遊星ギヤセットのリングギヤに可変連結され、
前記第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項６１】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットのリングギヤは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第３単純遊星ギヤセットの太陽ギヤに可変連結され、
固定連結された前記第１単純遊星ギヤセットのリングギヤと前記第２単純遊星ギヤセットの太陽ギヤは、第２クラッチを介して第４単純遊星ギヤセットの遊星キャリアに可変連結され、
前記第１単純遊星ギヤセットの遊星キャリアは、第１ブレーキを介して変速機ハウジングに可変連結され、そして
第３単純遊星ギヤセットの遊星キャリアは、第２ブレーキを介して前記変速機ハウジングに可変連結されることを特徴とする車両用５速自動変速機のパワートレイン。
【請求項６２】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結したシングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの遊星キャリアに可変連結され、
固定連結された前記第１単純遊星ギヤセットのリングギヤと前記第２単純遊星ギヤセットのリングギヤは、第２クラッチを介して固定連結された前記第３単純遊星ギヤセットの遊星キャリアと前記第４単純遊星ギヤセットのリングギヤに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項６３】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの遊星キャリアは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの遊星キャリアに可変連結され、
固定連結された前記第１単純遊星ギヤセットのリングギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項６４】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの太陽ギヤに可変連結され、
固定連結された前記第１単純遊星ギヤセットのリングギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項６５】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの太陽ギヤに可変連結され、
固定連結された前記第１単純遊星ギヤセットのリングギヤと前記第２単純遊星ギヤセットのリングギヤは、第２クラッチを介して第３単純遊星ギヤセットのリングギヤに可変連結され、
第１単純遊星ギヤセットの遊星キャリアは、第１ブレーキを介して変速機ハウジングに可変連結され、そして
固定連結された前記第３単純遊星ギヤセットの太陽ギヤと前記第４単純遊星ギヤセットの遊星キャリアは、第２ブレーキを介して前記変速機ハウジングに可変連結されることを特徴とする車両用５速自動変速機のパワートレイン。
【請求項６６】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、第３単純遊星ギヤセットのリングギヤに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項６７】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
前記第４単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの遊星キャリアは、第２ブレーキを介して前記変速機ハウジングに可変連結されることを特徴とする車両用５速自動変速機のパワートレイン。
【請求項６８】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項６９】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットの遊星キャリアは、固定連結された前記第３単純遊星ギヤセットの遊星キャリアと前記第４単純遊星ギヤセットのリングギヤに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
前記第２単純遊星ギヤセットの太陽ギヤは、第１クラッチを介して前記第４単純遊星ギヤセットの太陽ギヤに可変連結され、
前記第２単純遊星ギヤセットの太陽ギヤは、第２クラッチを介して第３単純遊星ギヤセットのリングギヤに可変連結され、
固定連結された前記第１単純遊星ギヤセットの遊星キャリアと前記第２単純遊星ギヤセットのリングギヤは、第１ブレーキを介して変速機ハウジングに可変連結され、そして
前記第４単純遊星ギヤセットの遊星キャリアは、第２ブレーキを介して前記変速機ハウジングに可変連結されることを特徴とする車両用５速自動変速機のパワートレイン。
【請求項７０】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して第３単純遊星ギヤセットの遊星キャリアに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項７１】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの太陽ギヤを第４単純遊星ギヤセットの太陽ギヤに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
第４単純遊星ギヤセットの遊星キャリアは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの遊星キャリアに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項７２】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第１単純遊星ギヤセットの遊星キャリアは、前記第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットのリングギヤに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項７３】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
前記第２単純遊星ギヤセットの遊星キャリアは、前記第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して第３単純遊星ギヤセットのリングギヤに可変連結され、
第１単純遊星ギヤセットのリングギヤは、第１ブレーキを介して変速機ハウジングに可変連結され、そして
固定連結された前記第３単純遊星ギヤセットの太陽ギヤと前記第４単純遊星ギヤセットの遊星キャリアは、第２ブレーキを介して前記変速機ハウジングに可変連結されることを特徴とする車両用５速自動変速機のパワートレイン。
【請求項７４】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットのリングギヤに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの太陽ギヤに可変連結され、
固定連結された前記第１単純遊星ギヤセットのリングギヤと前記第２単純遊星ギヤセットのリングギヤは、第２クラッチを介して前記第４単純遊星ギヤセットの遊星キャリアに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項７５】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットのリングギヤに可変連結され、
固定連結された前記第１単純遊星ギヤセットのリングギヤと前記第２単純遊星ギヤセットのリングギヤは、第２クラッチを介して固定連結された前記第３単純遊星ギヤセットの遊星キャリアと前記第４単純遊星ギヤセットの遊星キャリアに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項７６】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットの遊星キャリアは、前記第４単純遊星ギヤセットの遊星キャリアに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項７７】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
前記第２単純遊星ギヤセットの遊星キャリアは、固定連結された前記第３単純遊星ギヤセットのリングギヤと前記第４単純遊星ギヤセットのリングギヤに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して前記第４単純遊星ギヤセットの遊星キャリアに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項７８】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットの遊星キャリアと前記第４単純遊星ギヤセットの遊星キャリアに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項７９】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
前記第１単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
固定連結された前記第１単純遊星ギヤセットのリングギヤと前記第２単純遊星ギヤセットのリングギヤは、第１クラッチを介して固定連結された前記第３単純遊星ギヤセットの太陽ギヤと前記第４単純遊星ギヤセットのリングギヤに可変連結され、
固定連結された前記第１単純遊星ギヤセットのリングギヤと前記第２単純遊星ギヤセットのリングギヤは、第２クラッチを介して前記第３単純遊星ギヤセットの遊星キャリアに可変連結され、
第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項８０】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットの遊星キャリアは、第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットのリングギヤに可変連結され、
固定連結された前記第１単純遊星ギヤセットのリングギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項８１】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットの太陽ギヤに固定連結し、第１単純遊星ギヤセットのリングギヤを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第２単純遊星ギヤセットの遊星キャリアは、前記第３単純遊星ギヤセットの遊星キャリアに固定的に連結され、
前記第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットのリングギヤは、第１クラッチを介して前記第４単純遊星ギヤセットの太陽ギヤに可変連結され、
固定連結された前記第１単純遊星ギヤセットのリングギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項８２】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第２単純遊星ギヤセットの遊星キャリアは、第３単純遊星ギヤセットのリングギヤに固定的に連結され、
第１単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項８３】
ダブルピニオン遊星ギヤセットである第１単純遊星ギヤセットとダブルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットのリングギヤに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第２単純遊星ギヤセットの遊星キャリアは、固定連結された前記第３単純遊星ギヤセットのリングギヤと前記第４単純遊星ギヤセットの遊星キャリアに固定的に連結され、
第１単純遊星ギヤセットの太陽ギヤは、入力軸に固定連結されて入力要素として作用し、
第３単純遊星ギヤセットの太陽ギヤは、出力ギヤに固定連結されて出力要素として作用し、
前記第２単純遊星ギヤセットの太陽ギヤは、第１クラッチを介して前記第３単純遊星ギヤセットの太陽ギヤに可変連結され、
前記第２単純遊星ギヤセットの太陽ギヤは、第２クラッチを介して前記第３単純遊星ギヤセットの遊星キャリアに可変連結され、
固定連結された前記第１単純遊星ギヤセットの遊星キャリアと前記第２単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項８４】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
前記第２単純遊星ギヤセットの遊星キャリアは、第３単純遊星ギヤセットのリングギヤに固定的に連結され、
第２単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して固定連結された前記第３単純遊星ギヤセットの太陽ギヤと前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して前記第３単純遊星ギヤセットの遊星キャリアに可変連結され、
第１単純遊星ギヤセットのリングギヤは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項８５】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
前記第２単純遊星ギヤセットの遊星キャリアは、第３単純遊星ギヤセットの遊星キャリアに固定的に連結され、
第２単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットのリングギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットのリングギヤは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項８６】
ダブルピニオン遊星ギヤセットである第１単純遊星ギヤセットとダブルピニオン遊星ギヤセットである第２単純遊星ギヤセットを含み、第１単純遊星ギヤセットの太陽ギヤを第２単純遊星ギヤセットのリングギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
前記第２単純遊星ギヤセットの遊星キャリアは、前記第３単純遊星ギヤセットの遊星キャリアに固定的に連結され、
第２単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットの太陽ギヤと前記第２単純遊星ギヤセットのリングギヤは、第１クラッチを介して前記第４単純遊星ギヤセットの太陽ギヤに可変連結され、
固定連結された前記第１単純遊星ギヤセットの太陽ギヤと前記第２単純遊星ギヤセットのリングギヤは、第２クラッチを介して固定連結された前記第３単純遊星ギヤセットのリングギヤと前記第４単純遊星ギヤセットの遊星キャリアに可変連結され、
第１単純遊星ギヤセットのリングギヤは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項８７】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットのリングギヤは、固定連結された前記第３単純遊星ギヤセットのリングギヤと前記第４単純遊星ギヤセットのリングギヤに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの太陽ギヤに可変連結され、
固定連結された前記第１単純遊星ギヤセットのリングギヤと前記第２単純遊星ギヤセットの太陽ギヤは、第２クラッチを介して前記第４単純遊星ギヤセットの遊星キャリアに可変連結され、
前記第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項８８】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
ダブルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットのリングギヤは、第３単純遊星ギヤセットのリングギヤに固定的に連結され、
第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットのリングギヤに可変連結され、
固定連結された前記第１単純遊星ギヤセットのリングギヤと前記第２単純遊星ギヤセットの太陽ギヤは、第２クラッチを介して固定連結された前記第３単純遊星ギヤセットの遊星キャリアと前記第４単純遊星ギヤセットの遊星キャリアに可変連結され、
前記第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項８９】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットのリングギヤは、第３単純遊星ギヤセットのリングギヤに固定的に連結され、
第１単純遊星ギヤセットの太陽ギヤは、入力軸に固定連結されて入力要素として作用し、
前記第４単純遊星ギヤセットの遊星キャリアは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの遊星キャリアに可変連結され、
固定連結された前記第１単純遊星ギヤセットのリングギヤと前記第２単純遊星ギヤセットの太陽ギヤは、第２クラッチを介して固定連結された前記第３単純遊星ギヤセットの遊星キャリアと前記第４単純遊星ギヤセットのリングギヤに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項９０】
ダブルピニオン遊星ギヤセットである第１単純遊星ギヤセットとシングルピニオン遊星ギヤセットである第２単純遊星ギヤセットを含み、第１単純遊星ギヤセットの遊星キャリアを第２単純遊星ギヤセットの遊星キャリアに固定連結し、第１単純遊星ギヤセットのリングギヤを第２単純遊星ギヤセットの太陽ギヤに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットのリングギヤを第４単純遊星ギヤセットのリングギヤに固定連結した４個の作動要素を有する第２遊星ギヤセットと、
を含み、
第２単純遊星ギヤセットのリングギヤは、前記第３単純遊星ギヤセットの遊星キャリアに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの太陽ギヤに可変連結され、
固定連結された前記第１単純遊星ギヤセットのリングギヤと前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
前記第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【請求項９１】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットのリングギヤを第４単純遊星ギヤセットのリングギヤに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットのリングギヤは、第３単純遊星ギヤセットの遊星キャリアに固定的に連結され、
第１単純遊星ギヤセットの太陽ギヤは、入力軸に固定連結されて入力要素として作用し、
第４単純遊星ギヤセットの遊星キャリアは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの遊星キャリアに可変連結され、
固定連結された前記第１単純遊星ギヤセットのリングギヤと前記第２単純遊星ギヤセットの太陽ギヤは、第２クラッチを介して固定連結された前記第３単純遊星ギヤセットのリングギヤと前記第４単純遊星ギヤセットのリングギヤに可変連結され、
前記第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項９２】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとダブルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットの太陽ギヤを第４単純遊星ギヤセットの遊星キャリアに固定連結した４個の作動要素を有する第２遊星ギヤセットと、
を含み、
第２単純遊星ギヤセットのリングギヤは、前記第３単純遊星ギヤセットの遊星キャリアに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの太陽ギヤに可変連結され、
固定連結された前記第１単純遊星ギヤセットのリングギヤと前記第２単純遊星ギヤセットの太陽ギヤは、第２クラッチを介して第３単純遊星ギヤセットのリングギヤに可変連結され、
前記第１単純遊星ギヤセットの遊星キャリアは、第１ブレーキを介して変速機ハウジングに可変連結され、そして
固定連結された前記第３単純遊星ギヤセットの太陽ギヤと前記第４単純遊星ギヤセットの遊星キャリアは、第２ブレーキを介して前記変速機ハウジングに可変連結されることを特徴とする車両用５速自動変速機のパワートレイン。
【請求項９３】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットの遊星キャリアに固定連結し、第３単純遊星ギヤセットの太陽ギヤを第４単純遊星ギヤセットのリングギヤに固定連結した４個の作動要素を有する第２遊星ギヤセットと、
を含み、
第２単純遊星ギヤセットのリングギヤは、第３単純遊星ギヤセットのリングギヤに固定的に連結され、
第１単純遊星ギヤセットの太陽ギヤは、入力軸に固定連結されて入力要素として作用し、
固定連結された前記第３単純遊星ギヤセットの太陽ギヤと前記第４単純遊星ギヤセットのリングギヤは、出力ギヤに固定連結されて出力要素として作用し、
固定連結された前記第１単純遊星ギヤセットのリングギヤと前記第２単純遊星ギヤセットの太陽ギヤは、第１クラッチを介して固定連結された前記第３単純遊星ギヤセットの太陽ギヤと前記第４単純遊星ギヤセットのリングギヤに可変連結され、
固定連結された前記第１単純遊星ギヤセットのリングギヤと前記第２単純遊星ギヤセットの太陽ギヤは、第２クラッチを介して前記第３単純遊星ギヤセットの遊星キャリアに可変連結され、
前記第１単純遊星ギヤセットの遊星キャリアは、第１ブレーキを介して変速機ハウジングに可変連結され、そして
第４単純遊星ギヤセットの太陽ギヤは、第２ブレーキを介して前記変速機ハウジングに可変連結されることを特徴とする車両用５速自動変速機のパワートレイン。
【請求項９４】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットのリングギヤを第４単純遊星ギヤセットの遊星キャリアに固定連結し、第３単純遊星ギヤセットの太陽ギヤを第４単純遊星ギヤセットの太陽ギヤに固定連結した４個の作動要素を有する第２遊星ギヤセットと、
を含み、
第２単純遊星ギヤセットのリングギヤは、第３単純遊星ギヤセットの遊星キャリアに固定的に連結され、
第１単純遊星ギヤセットの太陽ギヤは、入力軸に固定連結されて入力要素として作用し、
第４単純遊星ギヤセットのリングギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットのリングギヤに可変連結され、
固定連結された前記第１単純遊星ギヤセットのリングギヤと前記第２単純遊星ギヤセットの太陽ギヤは、第２クラッチを介して固定連結された前記第３単純遊星ギヤセットのリングギヤと前記第４単純遊星ギヤセットの遊星キャリアに可変連結され、
前記第１単純遊星ギヤセットの遊星キャリアは、第１ブレーキを介して変速機ハウジングに可変連結され、そして
前記第４単純遊星ギヤセットの太陽ギヤは、第２ブレーキを介して前記変速機ハウジングに可変連結されることを特徴とする車両用５速自動変速機のパワートレイン。
【請求項９５】
ダブルピニオン遊星ギヤセットである第１単純遊星ギヤセットとシングルピニオン遊星ギヤセットである第２単純遊星ギヤセットを含み、第１単純遊星ギヤセットのリングギヤを第２単純遊星ギヤセットの太陽ギヤに固定連結し、第１単純遊星ギヤセットの遊星キャリアを第２単純遊星ギヤセットの遊星キャリアに固定連結した４個の作動要素を有する第１遊星ギヤセットと、
シングルピニオン遊星ギヤセットである第３単純遊星ギヤセットとシングルピニオン遊星ギヤセットである第４単純遊星ギヤセットを含み、第３単純遊星ギヤセットの遊星キャリアを第４単純遊星ギヤセットのリングギヤに固定連結し、第３単純遊星ギヤセットのリングギヤを第４単純遊星ギヤセットの遊星キャリアに固定連結した４個の作動要素を有する第２遊星ギヤセットと、
を含み、
第２単純遊星ギヤセットのリングギヤは、前記第３単純遊星ギヤセットの遊星キャリアに固定的に連結され、
第１単純遊星ギヤセットの太陽ギヤは、入力軸に固定連結されて入力要素として作用し、
第４単純遊星ギヤセットの太陽ギヤは、出力ギヤに固定連結されて出力要素として作用し、
固定連結された前記第１単純遊星ギヤセットのリングギヤと前記第２単純遊星ギヤセットの太陽ギヤは、第１クラッチを介して前記第４単純遊星ギヤセットの太陽ギヤに可変連結され、
固定連結された前記第１単純遊星ギヤセットのリングギヤと前記第２単純遊星ギヤセットの太陽ギヤは、第２クラッチを介して固定連結された前記第３単純遊星ギヤセットのリングギヤと前記第４単純遊星ギヤセットの遊星キャリアに可変連結され、
前記第１単純遊星ギヤセットの遊星キャリアは、第１ブレーキを介して変速機ハウジングに可変連結され、そして
第３単純遊星ギヤセットの太陽ギヤは、第２ブレーキを介して前記変速機ハウジングに可変連結されることを特徴とする車両用５速自動変速機のパワートレイン。
【発明の詳細な説明】
【０００１】
【発明の属する技術分野】
本発明は車両用５速自動変速機のパワートレーンに係り、より詳しくは４つの遊星ギヤセットと４つの摩擦要素により前進５速および後進１速の変速段を実現することに関する。
【０００２】
【従来の技術】
一般的に車両用自動変速機は車両の走行速度と負荷の変動により変速比を自動的に制御するトランスミッション制御ユニットを備えている。前記トラスミッション制御ユニットはパワートレーンに設置された多数の摩擦要素を作動または非作動状態に制御して遊星ギヤセットの３要素（太陽ギヤ、リングギヤ、遊星キャリア）の中でいずれかの要素を入力要素とし、他の要素を反力要素として選択して出力段回転数を調節する。
【０００３】
実質的に前進４速と後進１速の変速比が出力できるパワートレーンを設計するためには、二つの単純遊星ギヤセットを組合せた複合遊星ギヤセットと、最小５つの摩擦要素を使用しなければならない。そして前記複合遊星ギヤセットは、少なくとも異なる二つの要素が互いに共用できるよう遊星キャリアが互いに直結されたり、太陽ギヤを共用し、遊星キャリアとリングギヤが直結するようにしたり、遊星キャリアとリングギヤが相互直結されて４つの独立作動要素を保有する。
【０００４】
しかし前記のようなパワートレーンによる前進４速と後進１速の変速段では、最近高出力化しているエンジン性能を充分活用できないという問題点がある。
【０００５】
すなわち、従来の車両用自動変速機では、高出力エンジンのエンジンの性能を充分活用出来ず、燃費、動力性能そして駆動性能が悪くなる。
【０００６】
かかる原因によって最近高出力エンジンでエンジンの性能を充分活用するための手段として変速比をいっそう多段化する前進５速後進１速の変速段を保有するパワートレーンが提案されている。
【０００７】
前記のように前進５速後進1速の変速段のために提案されている従来のパワートレーンは三つの単純遊星ギヤセットと６つの摩擦要素を必要としたり、３つの単純遊星ギヤセットと７つの摩擦要素を必要とするパワートレーンが提供されている。
【０００８】
【発明が解決しようとする課題】
しかし、前記のように前進５速後進１速の変速段のために提案されている従来のパワートレーンは前記のように３つの単純遊星ギヤセットと７つの摩擦要素を必要とするが、その構成がかなり複雑であるだけでなく制御が容易ではない問題点を含めている。
【０００９】
そしてその製造原価がかなり上昇するため、車両購入者に経済的な負担を与え、これにより販売競争力が低下する問題点を有している。
【００１０】
また前記のようなパワートレーンに於いてはオーバードライブ時、出力要素より素早く回転する作動要素があるため動力損失が大きく、多数の摩擦要素により重量が増加するため軽量化にも反する。
【００１１】
【課題を解決するための手段】
本発明は前記のような問題点を解決するためになされたもので、本発明の目的は、オーバードライブ時、出力要素より早く回転する作動要素をなくして動力の損失を最小にし、小型で軽量化に寄与する車両用５速自動変速機のパワートレーンを提供することである。
【００１２】
これを実現するために、本発明は、４つの単純遊星ギヤを４つの摩擦要素と組合せて前進５速後進１速の変速比を実現したことに特徴がある。
【００１３】
具体的には、第１、第２、第３、第４作動要素を有する第１、第２単純遊星ギヤセットからなり、前記第１作動要素が入力要素として作用する第１遊星ギヤセットと；第５、第６、第７、第８作動要素を有する第３、第４単純遊星ギヤセットからなり、前記第５作動要素が出力要素として作用し、前記第５、第６作動要素が前記第２作動要素と可変的に連結され、前記第７作動要素が前記第４作動要素と固定的に連結される第２遊星ギヤセットと；前記第５、第６作動要素を前記第２作動要素と可変的に連結するためのクラッチ手段と；前記第３、第８作動要素を変速機ハウジングと選択的に連結するためのブレーキ手段と；を含むことを特徴とする。
【００１４】
【発明の実施の形態】
以下、本発明の一番好適な実施例を添付図面を参照して説明する。
［第１実施例］図１は本発明による自動変速機のパワートレーンの第１実施例を現した図面で、エンジンＥの回転動力が、トルクコンバータＴでトルク変換されて入力軸２を通じて第１、２遊星ギヤセット４、６に伝達され、変速が行われる。
第１遊星ギヤセット４は、第１単純遊星ギヤセット８と第２単純遊星ギヤセット１０からなり、本実施例では第１、２単純遊星ギヤセット８、１０がシングルピニオン遊星ギヤセットよりなることを示している。
第１、２単純遊星ギヤセット８、１０は、第１単純遊星ギヤセット８の太陽ギヤ１２と遊星キャリア１４を第２単純遊星ギヤセット１０のリングギヤ１６と遊星キャリア１８に各々固定的に連結することにより、この二つの作動要素と入力要素として作用する第２遊星ギヤセット８の太陽ギヤ２０と、そして第１単純遊星ギヤセット４のリングギヤ２２を含む四つの作動要素を有する。そして第２遊星ギヤセット６は第１遊星ギヤセット４のようにシングルピニオン遊星ギヤセットである第３、４単純遊星ギヤセット２４、２６の組合せよりなる。
【００１５】
前記第３、４単純遊星ギヤセット２４、２６を組合する時には第３単純遊星ギヤセット２４の太陽ギヤ２８と遊星キャリア３０を第４単純遊星ギヤセット２６のリングギヤ３２と遊星キャリア３４に各々固定的に連結することにより、この二つの作動要素と第３遊星ギヤセット２４のリングギヤ３６、そして第４単純遊星ギヤセット２６の太陽ギヤ３８を含む四つの作動要素を保有する。
かかるように行われる第１、２遊星ギヤセット４、６の組合に於いては第１単純遊星ギヤセット８のリングギヤ２２を第３単純遊星ギヤセット２４のリングギヤ３６と固定的に連結し、第２単純遊星ギヤセット１０の遊星キャリア１８を第３単純遊星ギヤセット２４の太陽ギヤ２８と遊星キャリア３０に各々可変的に行っており、互いに固定的に連結される第３単純遊星ギヤセット２４の太陽ギヤ２８と、第４遊星ギヤセット２６のリングギヤ３２に出力ギヤ４０を一体に形成して出力要素として作用させた。
図１では前記出力ギヤ４０が最終減速ギヤを通じて差動装置で動力を伝達する構造を省略しているが、かかる構造は公知のものが使えられ、またそれはいずれの構造のものが使われても本発明が意図する目的を実現できるので説明は省略する。
【００１６】
また前記で可変連結部位に介在されるクラッチ手段は前記第２単純遊星ギヤセット１０の遊星キャリア１８と前記第３遊星ギヤセット２４の太陽ギヤ２８を前進１、２、３速で連結する第１クラッチ４２と、前記第２単純遊星ギヤセット１０の遊星キャリア１８と前記第３遊星ギヤセット２４の遊星キャリア３０を前進３、４、５速で連結する第２クラッチ４４よりなる。
そして前記第１、２遊星ギヤセット４、６を形成する差動要素の中で各々ある一つの差動要素を選択的に反力要素として作用させるブレーキ手段は、第２単純遊星ギヤセット８の遊星キャリア１４を変速機ハウジング４６と前進１、５速および後進で連結する第１ブレーキ４８と、第４単純遊星ギヤセット２６の太陽ギヤ３８を変速機ハウジング４６と前進２、４速および後進で連結する第２ブレーキ５０よりなる。
【００１７】
前記のようなパワートレーンの組合関係を図にあらわすと、前記構成によって図２のような第１遊星ギヤセット４はレバー上の第１作動要素Ａが第２単純遊星ギヤセット１０の太陽ギヤ２０、第２作動要素Ｂが第１、２単純遊星ギヤセット８、１０の太陽ギヤ１２と遊星キャリア１４、第３作動要素Ｃが第１、２単純遊星ギヤセット８、１０の遊星キャリア２６とリングギヤ１６、第４作動要素Ｄが第１単純遊星ギヤセット８のリングギヤ２２で設定される。
そして第２遊星ギヤセット６は第１作動要素Ｇが第３、４単純遊星ギヤセット２４、２６の太陽ギヤ２８とリングギヤ３２、第２作動要素Ｈが第３、４単純遊星ギヤセット２４、２６の遊星キャリア３０、３４、第３作動要素Ｉが第３単純遊星ギヤセット２４のリングギヤ３６、第４作動要素Ｊが第４単純遊星ギヤセット２６の太陽ギヤ３２で設定される。
【００１８】
前記での各作動要素の設定は遊星ギヤ装置の種類とその連結関係によって決定されるもので、前記で第１、２遊星ギヤセット４、６の第１作動要素ないし第４作動要素の構成要素はこれらを形成する第１、２単純遊星ギヤセット８、１０の組合と、第３、４単純遊星ギヤセット２４、２６の組合構成によって設定される公知のものなので詳しい説明は省略する。
前記のように各々４つの作動要素を有する第１、２遊星ギヤセット４、６はクラッチ手段を利用して相互組合するが、これらは図２のように第１遊星ギヤセット４の第４作動要素Ｄである第１単純遊星ギヤセット８のリングギヤ２２が第２遊星ギヤセット６の第３作動要素Ｉである第３単純遊星ギヤセット２４のリングギヤ３６と固定的に連結され、第１遊星ギヤセット４の第２作動要素Ｂである第１、２単純遊星ギヤセット８、１０の太陽ギヤ１２と遊星キャリア１８が第１、２クラッチ４０、４２によって第２遊星ギヤセット６の第１および２作動要素Ｇ、Ｈに各々可変的に連結が行われるようになる。
これによって前進１、２、３速では前記クラッチの中で第１クラッチ４２が作動連結されることにより図３のようにレバー上に５つの作動ノードＮ１、Ｎ２、Ｎ３、Ｎ４、Ｎ５が設定される。
【００１９】
すなわち、図３で第１作動ノードＮ１は第１遊星ギヤセット４の第１作動要素Ａ、第２作動ノードＮ２は第１遊星ギヤセット４の第２作動要素Ｂと第２遊星ギヤセット６の第１作動要素Ｇ、第３作動ノードＮ３は第１遊星ギヤセット４の第３作動要素Ｃと第２遊星ギヤセット６の第２作動要素Ｈ、第４作動ノードＮ４は第１遊星ギヤセット４の第４作動要素Ｄと第２遊星ギヤセット６の第３作動要素Ｉ、第５作動ノードＮ５は第２遊星ギヤセット６の第４作動要素Ｊとなり、これの状態で前進１、２、３速の変速状態を可視的に察すると次の通りである。
【００２０】
（前進１速）
前進１速では第１クラッチ４２と第１ブレーキ４８が作動するが、この時には第１作動ノードＮ１である第２単純遊星ギヤセット１０の太陽ギヤ２０を通じて入力が行われている状態で、第１クラッチ４２の作動によって相互連結されている第３作動ノードＮ３である第１、２遊星ギヤセット８、１０の遊星キャリア１４とリングギヤ１６が、第１ブレーキ４２の作動によって反力要素として作用する。そうすると図３のように出力される回転数を“１”に見なした時、反力要素である第３作動ノードＮ３と出力要素である第２作動ノードＮ２を連結する線が第１速速度線Ｓ１となり、入力要素である第１作動ノードＮ１を通じて入力される回転数が出力回転数よりかなり大きいことがわかる。そして１速の状態では第４作動ノードＮ４と第５作動ノードＮ５を形成する作動要素は逆転する。
【００２１】
前進２速
前進２速では前記第１速の状態で第１ブレーキ４８の作動を停止させ、第２ブレーキ５０を作動制御するようになるが、この時には第１作動ノードＮ１を通じて入力が行われている状態で第２ブレーキ５０の作動で第５作動ノードＮ５である第４単純遊星ギヤセット２６の太陽ギヤ３８が反力要素として作用する。
そうすると図３のように出力される回転数を“１”に見なした時、反力要素である第５作動ノードＮ５と出力要素である第２作動ノードＮ２を連結する線が第２速速度線Ｓ２となり、第１速速度線Ｓ１に比べると、入力要素である第１作動ノードＮ１を通じて入力される回転数が第１速より小さいことがわかる。
そしてかかる２速の状態では第３作動ノードＮ３と第４作動ノードＮ４は入力方向と同一方向に空回転し、出力よりは小さい回転数で回転する。
【００２２】
前進３速
前進３速では前記第２速の状態で第２ブレーキ５０の作動を解除し、第２クラッチ４４を作動制御して第１、２クラッチ４２、４４を同時に作動させる。
そうすると第１作動ノードＮ１に入力される状態で第１、２遊星ギヤセット４、６がロッキング直結されるので入力されたまま出力されるので出力線が第３速速度線Ｓ３になる。
すなわち、これの３速では減速または増速がぜんぜんない直結の状態を意味する。
【００２３】
（前進４速）
前進４、５速では前進１、２、３速とは違って、第２クラッチ４４、第１、２ブレーキ３６、４０が作動するが、この時には図４のように第１遊星ギヤセット４の第２作動要素Ｂと第２遊星ギヤセット６の第２作動要素Ｈが一体になる。したがって図４のように第１作動ノードＮ１は第２遊星ギヤセット６の第１作動要素Ｇ、第２作動ノードＮ２は第１遊星ギヤセット４の第１作動要素Ａ、第３作動ノードＮ３は第１遊星ギヤセット４の第２作動要素Ｂと第２遊星ギヤセット６の第２作動要素Ｈ、第４作動ノードＮ４は第１遊星ギヤセット４の第３作動要素Ｃ、第５作動ノードＮ５は第１遊星ギヤセット４の第４作動要素Ｄと第２遊星ギヤセット６の第３作動要素Ｉ、第６作動ノードＮ６は新しく設定されることにより第２遊星ギヤセット６の第４作動要素Ｊに変更される。したがって第２作動ノードＮ２を通じて入力されている状態で出力される回転数を“１”に見なした時、４速では第２ブレーキ５０の作動によって反力要素である第６作動ノードＮ６と出力要素である第１作動ノードＮ１を連結する線が第４速速度線Ｓ４となり、入力要素である第２作動ノードＮ２を通じて入力される回転数が出力回転数よりかなり小さいことがわかる。すなわち、オーバードライブ状態になりながら４速が行われる。そして４速の状態では第３、４、５作動ノードＮ３、Ｎ４、Ｎ５は出力よりは少なく空回転することにより、従来のようにオーバードライブ時出力回転数より高い回転数で空回転する作動要素がなくなるので不必要な動力損失が防止される。
【００２４】
前進５速
前進５速では前記前進４速の状態で第２ブレーキ５０の作動が解除され、第１ブレーキ４８の作動が行われる。
したがって第２作動ノードＮ２を通じて入力されている状態で出力される回転数を“１”に見なした時、５速では第１ブレーキ４８の作動によって反力要素である第４作動ノードＮ４と出力要素である第１作動ノードＮ１を連結する線が第５速速度線Ｓ５となり、タップ変速段になる。
この時にも前進４速と同様にオーバードライブ状態になる。
【００２５】
後進
後進では図６のように第１、２クラッチ４２、４４の作動が解除され、第１、２ブレーキ４８、５０だけが同時に作用されるが、図５のように第１遊星ギヤセット４の第３作動要素ＣＣと第２遊星ギヤセット６の第４作動要素Ｊ４が反力要素で作用することにより、レバー上の第１遊星ギヤセット４の第１作動要素ＧＡが前進とは反対側に位置する。
これによって第１作動ノードＮ１は第２遊星ギヤセット６の第１作動要素Ｇ、第２作動ノードＮ２は第２遊星ギヤセット６の第２作動要素Ｈ、第３作動ノードＮ３は第１遊星ギヤセット４の第４作動要素Ｊと第２遊星ギヤセット６の第３作動要素Ｃ、第４作動ノードは第１遊星ギヤセットの第３作動要素Ｃと第２遊星ギヤセット６の第４作動要素Ｊ、第５作動ノードは第１遊星ギヤセット４の第２作動要素Ｈ、第６作動ノードは第1遊星ギヤセットの第１作動要素Ｇに変更される。
【００２６】
このような状態の後進の変速過程では、第６作動ノードを通じて入力されている状態で第１、２ブレーキ４８、５０の作動によって第４作動ノードが反力要素として作用するが、図５のように出力される回転数を“１”に見なした時、反力要素である第４作動ノードＮ４と出力要素である第１作動ノードＮ１を連結する線が第５速速度線Ｓ５となる。図面で入力が“０”以下と表示したのは入力が逆回転状態で入力されるのではなく、図表の表記上出力を“１”に設定したためである。
以上のように本発明の第１実施例によると、４つの単純遊星ギヤセットと４つの摩擦要素で前進５速および後進１速の変速段を有するパワートレーンを組合せることによってオバードライブ時出力要素より早く回転する作動要素をなくして動力の損失を最小にし、小型で軽量化を図ることができる。
【００２７】
［第２実施例］
図７は本発明による第２実施例を図示したもので、これは前記第１実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結して組合した。
そして前記第３、４単純遊星ギヤセット２４、２６のリングギヤ３６と遊星キャリア３４を第１単純遊星ギヤセット８のリングギヤ２２と固定連結し、第３単純遊星ギヤセット２４の太陽ギヤ２８と、第３、４単純遊星ギヤセット２４、２６の遊星キャリア３０とリングギヤ３２各々に第１、２クラッチ４２、４４を介在して相互固定連結されている第１、２単純遊星ギヤセット８、１０の太陽ギヤ１２と遊星キャリア１８に可変的に連結した。
また第４単純遊星ギヤセット２６の太陽ギヤ３８を変速機ハウジング４６との間に第２ブレーキ５０に介在して連結して選択的な反力要素として作用するようにし、第３単純遊星ギヤセット２４の太陽ギヤ２８が出力要素として作用するようにした。
【００２８】
前記のような構成によって第２遊星ギヤセット６は第１作動要素Ｇが第３単純遊星ギヤセット２４の太陽ギヤ２８、第２作動要素Ｈが第３、４単純遊星ギヤセット２４、２６の遊星キャリア３０とリングギヤ３２、第３作動要素Ｃが第３、４単純遊星ギヤセット２４、２６のリングギヤ３６と遊星キャリア３４、第４作動要素Ｊが第４単純遊星ギヤセット２６の太陽ギヤで設定される４つの作動要素を保有するようになる。
このように構成される第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素と選択的に一体になる構成で組合される。
【００２９】
これによって第１遊星ギヤセット４の第１作動要素Ｇで入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われるようになる。
そしてこれらの作動は第２遊星ギヤセット６の各作動要素を構成する部品だけ第１実施例とことなるだけで各変速段で同一な作動要素の作動で変速が行われるようになるが、その詳しい説明は省略する。
【００３０】
［第３実施例］
図８は本発明による第３実施例を図示したもので、第１遊星ギヤセット４はダブルピニオン遊星ギヤセットである第１単純遊星ギヤセット８とシングルピニオン遊星ギヤセットである第２単純遊星ギヤセット１０の組合で形成し、第２遊星ギヤセット６はシングルピニオン遊星ギヤセットよりなる第３、４単純遊星ギヤセット２４、２６の組合で形成した。
前記で第１遊星ギヤセット４は第１単純遊星ギヤセット８の太陽ギヤ１２と遊星キャリア１４を第２単純遊星ギヤセット１０の太陽ギヤ２０とリングギヤ１６に各々固定的に連結、組合した。
前記第２遊星ギヤセット６は第３単純遊星ギヤセット２４の太陽ギヤ２８と遊星キャリア３０を第４単純遊星ギヤ摂と２６のリングギヤ３２と遊星キャリア３４に各々固定的に連結した。
【００３１】
そして前記第１、２遊星ギヤセット４、６を組合することに於いては第２単純遊星ギヤセット１０の遊星キャリア１８と第３単純遊星ギヤセット２６のリングギヤ３６を固定的に連結し、第２単純遊星ギヤセット１０のリングギヤ１６を第４単純遊星ギヤセット２６のリングギヤ３２と第３単純遊星ギヤセット２４の遊星キャリア３０に可変的な連結を行わせた。
前記で可変的な連結部位には第１、２クラッチ４２、４４が介在されて選択的に動力伝達が行われるようにし、前記第１単純遊星ギヤセット８のリングギヤ８と第４単純遊星ギヤセット２６の太陽ギヤ３８が各々第１、２ブレーキ４８、５０を介在させて変速機ハウジング４６に連結させた。
前記のような構成により第１遊星ギヤセット４は第１作動要素Ｇが第１、２単純遊星ギヤセット８、１０の太陽ギヤ１２、２０、第２作動要素Ｈが第１、２単純遊星ギヤセット８、１０の遊星キャリア１４とリングギヤ１０、第３作動要素Ｃが第１単純遊星ギヤセット８のリングギヤ２２、第４作動要素Ｊが第２単純遊星ギヤセット１０の遊星キャリアに設定される４つの作動要素を保有する。
【００３２】
そして前記第２遊星ギヤセット６は第１作動要素Ｇが第３、４単純遊星ギヤセット２４、２６の太陽ギヤ２８、３８、第２作動要素Ｈが第３、４単純遊星ギヤセット２４、２６のリングギヤ３６と遊星キャリア３４、第３作動要素Ｃが第３、４単純遊星ギヤセット２４、２６の遊星キャリア３０とリングギヤ３６、第４作動要素Ｊが第４単純遊星ギヤセット２６の太陽ギヤ３８で設定される四つの作動要素を保有するようになる。
このように構成される第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素と選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【００３３】
［第４実施例］
図９は本発明による第４実施例を図示したもので、これは前記第３実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結した組合した。
そして前記第３、４単純遊星ギヤセット２４、２６の遊星キャリア３０とリングギヤ３２を第１単純遊星ギヤセット８の遊星キャリア１８と固定連結し、第４単純遊星ギヤセット２６の太陽ギヤ３８と、第３、４単純遊星ギヤセット２４、２６のリングギヤ３６と遊星キャリア３４を各々に第１、２クラッチ４２、４４を介在して相互固定連結されている第１、２単純遊星ギヤセット８、１０の遊星キャリア１４とリングギヤ１６に可変的に連結した。
また第４単純遊星ギヤセット２６の太陽ギヤ３８を変速機ハウジング４６との間に第２ブレーキ５０に介在させて連結して選択的な反力要素として作用させ、第３単純遊星ギヤセット２４の太陽ギヤ２８が出力要素として作用できるようにした。
【００３４】
前記のような構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６と遊星キャリア３４、第３作動要素Ｃが第３、４単純遊星ギヤセット２４、２６の遊星キャリア３０とリングギヤ３２、第４作動要素Ｊが第３単純遊星ギヤセット２４の太陽ギヤで設定される４つの作動要素を保有する。
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００３５】
［第５実施例］
図１０は本発明による第５実施例を図示したもので、これは前記第３実施例に於いて、第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結した組合した。
そして前記第３単純遊星ギヤセット２４の遊星キャリア３０を第２単純遊星ギヤセット１０の遊星キャリア１８に固定連結し、第４単純遊星ギヤセット２６のリングギヤ３２と、第３、４単純遊星ギヤセット２４、２６のリングギヤ３６と遊星キャリア３４を各々に第１、２クラッチ４２、４４を介在して相互固定連結されている第１、２単純遊星ギヤセット８、１０の遊星キャリア１２とリングギヤ１６に可変的に連結した。
【００３６】
また第３、４単純遊星ギヤセット２４、２６の太陽ギヤ２８、３８を変速機ハウジング４６との間に第２ブレーキ５０に介在させて連結して選択的な反力要素として作用させ、第４単純遊星ギヤセット２６のリングギヤ３２が出力要素として作用できるようにした。
前記のような構成により第２遊星ギヤセット６は第１作動要素Ｇが第４単純遊星ギヤセット２４、２６のリングギヤ３６と遊星キャリア３４、第３作動要素Ｃが第３単純遊星ギヤセット２４の遊星キャリア３０、第４作動要素Ｊが第３、４単純遊星ギヤセット２４、２６の太陽ギヤ２８、３８で設定される４つの作動要素を保有する。
【００３７】
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００３８】
［第６実施例］
図１１は本発明による第６実施例を図示したもので、第１遊星ギヤセット４は第１単純遊星ギヤセット８の遊星キャリア１４とリングギヤ２２を第２単純遊星ギヤセット１０の太陽ギヤ２０とリングギヤ１６に各々固定連結した組合した。
前記第２遊星ギヤセット６は第３単純遊星ギヤセット２４の太陽ギヤ２８と遊星キャリア３０を第４単純遊星ギヤセット２６のリングギヤ３２と遊星キャリア３４に各々固定的に連結した。
そして前記第１、２遊星ギヤセット４、６を組合する時には第２単純遊星ギヤセット１０の遊星キャリア１８と第３単純遊星ギヤセット２４のリングギヤ３６を固定的に連結し、第１、２単純遊星ギヤセット８、１０の遊星キャリア１４と太陽ギヤ２０を第１、２クラッチ４２、４４を介在して第３、４単純遊星ギヤセット２４、２６の太陽ギヤ２８とリングギヤ３２、第３、４単純遊星ギヤセット２４、２６の遊星キャリア３０、３４に可変的に連結した。
そして前記第１、２単純遊星ギヤ説と８、１０のリングギヤ２２、１６と、第３、４単純遊星ギヤセット２６の太陽ギヤ２８とリングギヤ３２が各々第１、２ブレーキ４８、５０を介在して変速機ハウジング４６に連結した。
【００３９】
前記のような構成により第１遊星ギヤセット４は第１作動要素Ｇが第１単純遊星ギヤセット８の太陽ギヤ１２、第２作動要素Ｈが第１、２単純遊星ギヤセット８、１０の遊星キャリア１４と太陽ギヤ２０、第３作動要素Ｃが第１、２単純遊星ギヤセット６、８のリングギヤ２２、１６、第４作動要素Ｊが第２単純遊星ギヤセット１０の遊星キャリア１８に設定される４つの作動要素を保有する。
そして前記第２遊星ギヤセット６は第１作動要素Ｇが第３、４単純遊星ギヤセット２４、２６の太陽ギヤ２８、３８、第２作動要素Ｈが第３、４単純遊星ギヤセット２４、２６のリングギヤ３６と遊星キャリア３４、第３作動要素Ｃが第３、４単純遊星ギヤセット２４、２６の遊星キャリア３０とリングギヤ３６、第４作動要素Ｊが第４単純遊星ギヤセット２６の太陽ギヤ３８で設定される４つの作動要素を保有するようになる。
【００４０】
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【００４１】
［第７実施例］
図１２は本発明による第７実施例を図示したもので、これは前記第６実施例に於いて、第２遊星ギヤセット６を組合する時、は第３単純遊星ギヤセット２４の遊星キャリア３０とリングギヤ３６を第４単純遊星ギヤセット２６のリングギヤ３２と遊星キャリア３４に各々固定連結した組合した。
そして前記第３、４遊星ギヤセット２４、２６のリングギヤ３６と遊星キャリア３４を第２単純遊星ギヤセット１０の遊星キャリア１８に固定連結し、第３単純遊星ギヤセット２４の太陽ギヤ２８と、第３、４単純遊星ギヤセット２４、２６の遊星キャリア３０とリングギヤ３２各々第１、２クラッチ４２、４４を介在して相互固定連結されている第１、２単純遊星ギヤセット８、１０の遊星キャリア１４と太陽ギヤ２０に可変的に連結した。
【００４２】
また前記第１、２単純遊星ギヤセット８、１０のリングギヤと、第４単純遊星ギヤセット２６の太陽ギヤ３８が各々第１、２ブレーキ４８、５０を介在して変速機ハウジング４６に連結し、第３単純遊星ギヤセット２４の太陽ギヤ２８が出力要素として作用するようにした。
前記のような構成により第２遊星ギヤセット６は第１作動要素Ｇが第３単純遊星ギヤセット２４の太陽ギヤ２８、第２作動要素Ｈが第３、４単純遊星ギヤセット２４、２６の遊星キャリア３０とリングギヤ３２、第３作動要素Ｃが第３、４単純遊星ギヤセット２４、２６のリングギヤ３６と遊星キャリア３４、第４作動要素Ｊが第４単純遊星ギヤセット１０の太陽ギヤ３８に設定される４つの作動要素を保有する。
【００４３】
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００４４】
［第８実施例］
図１３は本発明による第８実施例を図示したもので、第１遊星ギヤセット４は第１単純遊星ギヤセット８の太陽ギヤ１２とリングギヤ２２を第２単純遊星ギヤセット１０の遊星キャリア１８とリングギヤ１６に各々固定連結した組合した。
そして前記第２遊星ギヤセット６は第３単純遊星ギヤセット２４の太陽ギヤ２８と遊星キャリア３０を第４単純遊星ギヤセット２６のリングギヤ３２と遊星キャリア３４に各々固定的に連結した。
前記第１、２遊星ギヤセット４、６を組合する時には第１、２単純遊星ギヤセット８、１０のリングギヤ２２と遊星キャリア１８を第３単純遊星ギヤセット２４のリングギヤ３６に固定的に連結し、第１、２単純遊星ギヤセット８、１０の太陽ギヤ１２とリングギヤ２２を第１、２クラッチ４２、４４を介在して第３、４単純遊星ギヤセット２４、２６の太陽ギヤ２８とリングギヤ３２、第３、４単純遊星ギヤセット２４、２６の遊星キャリア３０、３４に可変的に連結した。
【００４５】
そして前記第１単純遊星ギヤセット８の遊星キャリア１４と、第４単純遊星ギヤセット２８の太陽ギヤ３８が各々第１、２ブレーキ４８、５０を介在して変速機ハウジング４６に連結した。
前記のような構成により第１遊星ギヤセット４は第１作動要素Ｇが第１単純遊星ギヤセット１０の太陽ギヤ２０、第２作動要素Ｈが第１、２単純遊星ギヤセット８、１０の太陽ギヤ１２とリングギヤ１６、第３作動要素Ｃが第１単純遊星ギヤセット６の遊星キャリア１４、第４作動要素Ｊが第１、２単純遊星ギヤセット８、１０のリングギヤ２２と遊星キャリア１８に設定される４つの作動要素を保有する。
【００４６】
そして前記第２遊星ギヤセット６は第１作動要素Ｇが第３、４単純遊星ギヤセット２４、２６の太陽ギヤ２８、３８、第２作動要素Ｈが第３、４単純遊星ギヤセット２４、２６のリングギヤ３６と遊星キャリア３４、第３作動要素Ｃが第３、４単純遊星ギヤセット２４、２６の遊星キャリア３０とリングギヤ３６、第４作動要素Ｊが第４単純遊星ギヤセット２６の太陽ギヤ３８で設定される４つの作動要素を保有するようになる。
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【００４７】
［第９実施例］
図１４は本発明による第９実施例を図示したもので、これは前記第８実施例に於いて、第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結した組合した。
そして前記第３単純遊星ギヤセット２４の遊星キャリア３０を第１、２単純遊星ギヤセット８、１０のリングギヤと遊星キャリア１８に固定連結し、第４単純遊星ギヤセット２６のリングギヤ３２と、第３、４単純遊星ギヤセット２４、２６のリングギヤ３６と遊星キャリア３４各々に第１、２クラッチ４２、４４を介在して相互固定連結されている第１、２単純遊星ギヤセット８、１０の太陽ギヤ１２とリングギヤに可変的に連結した。
また前記第３、４単純遊星ギヤセット２４、２６の太陽ギヤ２８、３８を変速機ハウジング４６との間に第２ブレーキ５０に介在、連結した選択的な反力要素で作用し、第４単純遊星ギヤセット２６のリングギヤ３２が出力要素で作用するようにした。
前記のような構成により第２遊星ギヤセット６は第１作動要素Ｇが第４単純遊星ギヤセット２４のリングギヤ３２、第２作動要素Ｈが第３、４単純遊星ギヤセット２４、２６のリングギヤ３６と遊星キャリア３４、第３作動要素Ｃが第３単純遊星ギヤセット２４の遊星キャリア３０、第４作動要素Ｊが第３、４単純遊星ギヤセット２４、２６の太陽ギヤ２８、３８に設定される４つの作動要素を保有する。
【００４８】
このような構成の第１、２遊星ギヤセット４、６の各作動要素は第１実施例と同様に第１遊星ギヤセット４の第４作動要素Ｊが第２遊星ギヤセット６の第３作動要素Ｃと固定的に一体になり、第１遊星ギヤセット４の第２作動要素Ｈが第２遊星ギヤセット６の第１、２作動要素Ｇ，Ｈと選択的に一体になる構成で組合される。
これにより第１遊星ギヤセット４の第１作動要素Ｇで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００４９】
［第１０実施例］
図１５は本発明による第１０実施例を図示したもので、これは前記第８実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結して組合した。
そして前記第３、４単純遊星ギヤセット２４、２６の遊星キャリア３０とリングギヤ３２を第１、２単純遊星ギヤセット８、１０のリングギヤ２２と遊星キャリア１８に固定連結し、第４単純遊星ギヤセット２６の太陽ギヤ３８と、第３、４単純遊星ギヤセット２４、２６のリングギヤ３６と遊星キャリア３４を各々に第１、２クラッチ４２、４４を介在して相互連結されている第１、２単純遊星ギヤセット８、１０の太陽ギヤ１２とリングギヤ１６に可変的に連結した。
【００５０】
また前記第３単純遊星ギヤセット２４の太陽ギヤ２８を変速機ハウジング４６との間に第２ブレーキ５０に介在、連結した選択的な反力要素で作用し、第４単純遊星ギヤセット２６の太陽ギヤ３８が出力要素で作用するようにした。
前記のような構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６と遊星キャリア３４、第３作動要素Ｉが第３、４単純遊星ギヤセット２４、２６の遊星キャリア３０とリングギヤ３２、第４作動要素Ｄが第３単純遊星ギヤセット２４の太陽ギヤ２８に設定される４つの作動要素を保有する。
【００５１】
このような構成の第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ，Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００５２】
［第１１実施例］
図１６は本発明による第１１実施例を図示したもので、第１遊星ギヤセット４はシングルピニオン遊星ギヤセットである第１単純遊星ギヤセット８と第２単純遊星ギヤセット１０の組合で形成し、第２遊星ギヤセット６はダブルピニオン遊星ギヤセットである第３単純遊星ギヤセット２４とシングルピニオン遊星ギヤセットである第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の遊星キャリア１８とリングギヤ２０に各々固定的に連結、組合した。
前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
【００５３】
そして前記第１、２遊星ギヤセット４、６を組合する時には第１単純遊星ギヤ説と１０のリングギヤ２２を第３、４単純遊星ギヤ説と２４、２６の遊星キャリアに固定的に連結し、第１、２単純遊星ギヤセット８、１０の太陽ギヤ１２と遊星キャリア１８を第３単純遊星ギヤセット２４の太陽ギヤ２８と、第３、４単純遊星ギヤセット２４、２６のリングギヤ３６、３２に可変的な連結が行われるようにした。
前記で可変的な連結部位には第１、２クラッチ４２、４４が介在されて選択的に動力伝達が行われるようにし、前記第１、２単純遊星ギヤセット８、１０の遊星キャリア１４とリングギヤ８、第４単純遊星ギヤセット２６の太陽ギヤ３８が各々第１、２ブレーキ４８、５０を介在して変速機ハウジング４６に連結するようにし、第３単純遊星ギヤセット２４の太陽ギヤ２８が出力要素として作用するようにした。
【００５４】
前記のような構成により第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２と遊星キャリア１８、第３作動要素Ｃが第１、２単純遊星ギヤセット８、１０の遊星キャリア１４とリングギヤ１６、第４作動要素Ｄが第１単純遊星ギヤセット８のリングギヤ２２で設定される４つの作動要素を保有する。
そして前記第２遊星ギヤセット６は第１作動要素Ｇが第３単純遊星ギヤセット２４の太陽ギヤ２８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第４単純遊星ギヤセット２６の太陽ギヤ３８で設定される４つの作動要素を保有するようになる。
このような構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
そしてこれら作動は各作動要素を構成する部品だけ第１実施例と異なるだけで各変速段で同一作動要素の作動により変速が行われるようが、その詳しい説明は省略する。
【００５５】
［第１２実施例］
図１７は本発明による第１２実施例を図示したもので、第１遊星ギヤセット４はシングルピニオン遊星ギヤセットである第１単純遊星ギヤセット８と第２単純遊星ギヤセット１０の組合で形成し、第２遊星ギヤセット６はシングルピニオン遊星ギヤセットである第３単純遊星ギヤセット２４と、ダブルピニオン遊星ギヤセットである第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の遊星キャリア１８とリングギヤ２０に各々固定的に連結、組合した。
前記第２遊星ギヤセット６は第３単純遊星ギヤセット２４の太陽ギヤ２８と遊星キャリア３０を第４単純遊星ギヤセット２６の太陽ギヤ３８と遊星キャリア３４に各々固定的に連結した。
【００５６】
そして前記第１、２遊星ギヤセット４、６を組合することに於いては第１単純遊星ギヤセット１０のリングギヤ２２を第３単純遊星ギヤセット２４のリングギヤ３６に固定的に連結し、第１、２単純遊星ギヤセット８、１０の太陽ギヤ１２と遊星キャリア１８を第３、４単純遊星ギヤセット２４の太陽ギヤ２８と遊星キャリア３４、第３、４単純遊星ギヤセット２４、２６の遊星キャリア３０とリングギヤ３２に可変的に連結させた。
前記可変的な連結部位には第１、２クラッチ４２、４４を介在して選択的に動力伝達を行わせ、前記第１、２単純遊星ギヤセット８、１０の遊星キャリア１４とリングギヤ１６、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤと遊星キャリア３４が出力要素として作用するようにした。
【００５７】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２と遊星キャリア１８、第３作動要素Ｃが第１、２単純遊星ギヤセット８、１０の遊星キャリア１４とリングギヤ１６、第４作動要素Ｄが第１単純遊星ギヤセット８のリングギヤ２２で設定される４つの作動要素を保有する。
そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４の遊星キャリア３０、第４作動要素Ｄが第４単純遊星ギヤセット２６の太陽ギヤ３８で設定される４つの作動要素を保有する。
【００５８】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【００５９】
［第１３実施例］
図１８は本発明による第１３実施例を図示したもので、これは前記第１２実施例に於いて第２遊星ギヤセットを組合する時、第３単純遊星ギヤセット２４の太陽ギヤ２８とリングギヤ３６を第４単純遊星ギヤセット２６の太陽ギヤ３８とリングギヤ３２に各々固定連結した。
そして前記第３、４単純遊星ギヤセット２４、２６のリングギヤ３６、３２を第１単純遊星ギヤセット８のリングギヤに固定連結し、第３、４単純遊星ギヤセット２４、２６の太陽ギヤ２８、３８と、第３単純遊星ギヤセット２４の遊星キャリア３０各々に第１、２クラッチ４２、４４を介在した相互固定連結されている第１、２単純遊星ギヤセット８、１０の太陽ギヤ１２と遊星ギヤリア１８に可変的に連結した。
【００６０】
また第４単純遊星ギヤセット２６の遊星キャリア３４を変速機ハウジング４６との間に第２ブレーキ５０を介在、廉潔した選択的な反力要素として作用させ、第３、４単純遊星ギヤセット２４、２６の太陽ギヤ３８、３２が出力要素として作用するようにした。
前記構成によって第２遊星ギヤセット６は第１作動要素Ｇが第３、４単純遊星ギヤセット２４、２６の太陽ギヤ２８、３８、第２作動要素Ｈが第３単純遊星ギヤセット２４の遊星キャリア３０、第３作動要素Ｉが第３、４単純遊星ギヤセット２４、２６のリングギヤ３６、３２、第４作動要素Ｄが第４単純遊星ギヤセット２６の遊星キャリアに設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００６１】
［第１４実施例］
図１９は本発明による第１４実施例を図示したもので、これは前記第１２実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６のリングギヤ３６、３２を第１単純遊星ギヤセット８のリングギヤに固定連結し、第３単純遊星ギヤセット２４の太陽ギヤ２８と、第３、４単純遊星ギヤセット２４、２６の遊星キャリア３０、３４各々に第１、２クラッチ４２、４４を介在して相互固定連結されている第１、２単純遊星ギヤセット８、１０の太陽ギヤ１２と遊星ギヤリア１８に可変的に連結した。
また第４単純遊星ギヤセット２６の遊星キャリア３８を変速機ハウジング４６との間に第２ブレーキ５０を介在、連結して選択的な反力要素として作用させ、第３単純遊星ギヤセット２４の太陽ギヤ３８が出力要素として作用するようにした。
【００６２】
前記構成によって第２遊星ギヤセット６は第１作動要素Ｇが第３単純遊星ギヤセット２４の太陽ギヤ２８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第４単純遊星ギヤセット２６の太陽ギヤに設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００６３】
［第１５実施例］
図２０は本発明による第１５実施例を図示したもので、これは前記第１２実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第１単純遊星ギヤセット８のリングギヤに固定連結し、第４単純遊星ギヤセット２６の太陽ギヤ３８と、第３単純遊星ギヤセット２６のリングギヤ３６各々に第１、２クラッチ４２、４４を介在して相互固定連結されている第１、２単純遊星ギヤセット８、１０の太陽ギヤ１２と遊星ギヤリア１８に可変的に連結した。
また第４単純遊星ギヤセット２６の遊星キャリア３４を変速機ハウジング４６との間に第２ブレーキ５０を介在、連結して選択的な反力要素として作用させ、第４単純遊星ギヤセット２６の太陽ギヤ３８が出力要素として作用するようにした。
【００６４】
前記構成によって第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００６５】
［第１６実施例］
図２１は本発明による第１６実施例を図示したもので、第１遊星ギヤセット４はシングルピニオン遊星ギヤセットである第１単純遊星ギヤセット８と第２単純遊星ギヤセット１０の組合で形成し、第２遊星ギヤセット６はダブルピニオン遊星ギヤセットである第３単純遊星ギヤセット２４と、第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の遊星キャリア１８とリングギヤ１６に各々固定的に連結、組合した。
前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
【００６６】
そして前記第１、２遊星ギヤセット４、６を組合することに於いては第１単純遊星ギヤセット１０のリングギヤ２２を第４単純遊星ギヤセット２６の遊星キャリア３４に固定的に連結し、第１、２単純遊星ギヤセット８、１０の太陽ギヤ１２と遊星キャリア１８を第３、４単純遊星ギヤセット２４の遊星キャリア３２、３４、第３、４単純遊星ギヤセット２４、２６のリングギヤ３２に可変的に連結させた。
前記可変的な連結部位には第１、２クラッチ４２、４４を介在して選択的に動力伝達を行わせ、前記第１、２単純遊星ギヤセット８、１０の遊星キャリア１４とリングギヤ１６、第４単純遊星ギヤセット２４の太陽ギヤ２８が各々第１、２ブレーキ４８、５０を介在して変速機ハウジング４６に連結させ、前記第３、４単純遊星ギヤセット２４、２６の遊星キャリア３０と太陽ギヤ３８が出力要素として作用するようにした。
【００６７】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２と遊星キャリア１８、第３作動要素Ｃが第１、２単純遊星ギヤセット８、１０の遊星キャリア１４とリングギヤ１６、第４作動要素Ｄが第１単純遊星ギヤセット８のリングギヤ２２で設定される４つの作動要素を保有する。
そして前記第２遊星ギヤセット６は第１作動要素Ｇが第３、４単純遊星ギヤセット２４の遊星キャリア３０、３４、第２作動要素Ｈが第３、４単純遊星ギヤセット２４、２６のリングギヤ３６、３２、第３作動要素Ｉが第４単純遊星ギヤセット２６の遊星キャリア３４、第４作動要素Ｄが第３単純遊星ギヤセット２４の太陽ギヤ２８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
【００６８】
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【００６９】
［第１７実施例］
図２２は本発明による第１７実施例を図示したもので、これは前記第１６実施例に於いて第２遊星ギヤセット６を組合する時、第３単純遊星ギヤセット２４の太陽ギヤ２８と遊星キャリア３０を第４単純遊星ギヤセット２６の太陽ギヤ３８とリングギヤ３２に各々固定連結した。
そして前記第３、４単純遊星ギヤセット２４、２６の遊星キャリア３０とリングギヤ３２を第１単純遊星ギヤセット８のリングギヤ２２に固定連結し、第３、４単純遊星ギヤセット２６の太陽ギヤ２８、３８と、第３単純遊星ギヤセット２６のリングギヤ３６各々に第１、２クラッチ４２、４４を介在した相互固定連結されている第１、２単純遊星ギヤセット８、１０の太陽ギヤ１２と遊星ギヤリア１８に可変的に連結した。
また第４単純遊星ギヤセット２６の遊星キャリア３４を変速機ハウジング４６との間に第２ブレーキ５０を介在、廉潔した選択的な反力要素として作用させ、
第３、４単純遊星ギヤセット２４、２６の太陽ギヤ２８、３８が出力要素として作用するようにした。
【００７０】
前記構成によって第２遊星ギヤセット６は第１作動要素Ｇが第３、４単純遊星ギヤセット２４、２６の太陽ギヤ２８、３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第４単純遊星ギヤセット２６の遊星キャリア３４に設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００７１】
［第１８実施例］
図２３は本発明による第１８実施例を図示したもので、これは前記第１２実施例に於いて第２遊星ギヤセット６を組合する時、第３単純遊星ギヤセット２４の太陽ギヤ２８とリングギヤ３６を第４単純遊星ギヤセット２６の遊星キャリア３４とリングギヤ３２に各々固定連結して組合した。
そして前記第３、４単純遊星ギヤセット２４、２６のリングギヤ３６、３２を第１単純遊星ギヤセット８のリングギヤに固定連結し、第４単純遊星ギヤセット２６の太陽ギヤ３８と、第３単純遊星ギヤセット２６の遊星キャリア３０各々に第１、２クラッチ４２、４４を介在して相互固定連結されている第１、２単純遊星ギヤセット８、１０の太陽ギヤ１２と遊星ギヤリア１８に可変的に連結した。
また第３、４単純遊星ギヤセット２４、２６の太陽ギヤ２８と遊星キャリア３４を変速機ハウジング４６との間に第２ブレーキ５０を介在、連結して選択的な反力要素として作用させ、第４単純遊星ギヤセット２６の太陽ギヤ３８が出力要素として作用するようにした。
【００７２】
前記構成によって第２遊星ギヤセット６は第１作動要素Ｇが第４単純遊星ギヤセット２６の太陽ギヤ３８、第２作動要素Ｈが第３単純遊星ギヤセット２４の遊星キャリア３０、第３作動要素Ｉが第３、４単純遊星ギヤセット２４、２６のリングギヤ３６、３２、第４作動要素Ｄが第３、４単純遊星ギヤセット２４、２６の太陽ギヤ２８と遊星キャリア３４に設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００７３】
［第１９実施例］
図２４は本発明による第１９実施例を図示したもので、第１遊星ギヤセット４はシングルピニオン遊星ギヤセットである第１単純遊星ギヤセット８とダブルピニオン遊星ギヤセットである第２単純遊星ギヤセット１０の組合で形成し、第２遊星ギヤセット６はシングルピニオン遊星ギヤセットである第３単純遊星ギヤセット２４と、ダブルピニオン遊星ギヤセットである第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の太陽ギヤ１２とリングギヤ１６に各々固定的に連結、組合した。
前記第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８を第３単純遊星ギヤセット２４の遊星キャリア３０に固定的に連結し、第１、２単純遊星ギヤセット８、１０の太陽ギヤ１２とリングギヤ１６を第３、４単純遊星ギヤセット２４の、２６の太陽ギヤ２８と遊星キャリア３４、第３、４単純遊星ギヤセット２４、２６の遊星キャリア３０とリングギヤ３２に可変的に連結させた。
【００７４】
前記可変的な連結部位には第１、２クラッチ４２、４４を介在して選択的に動力伝達を行わせ、前記第１単純遊星ギヤセット８のリングギヤ２２、第４単純遊星ギヤセット２６の太陽ギヤ３８が各々第１、２ブレーキ４８、５０を介在して変速機ハウジング４６に連結させ、前記第３、４単純遊星ギヤセット２４、２６の遊星キャリア３４と太陽ギヤ２８が出力要素として作用するようにした。
前記構成によって第１遊星ギヤセット４は第１作動要素Ａが第１、２単純遊星ギヤセット８、１０の太陽ギヤ１２、２０、第２作動要素Ｂが第１、２単純遊星ギヤセット８、１０の遊星キャリア１４とリングギヤ１６、第３作動要素Ｃが第１単純遊星ギヤセット８のリングギヤ２２、第４作動要素Ｄが第２単純遊星ギヤセット１０の遊星キャリア１８で設定される４つの作動要素を保有する。
【００７５】
そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４の遊星キャリア３６、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【００７６】
［第２０実施例］
図２５は本発明による第２０実施例を図示したもので、これは前記第１９実施例に於いて第２遊星ギヤセット６を組合する時、第３単純遊星ギヤセット２４の太陽ギヤ２８とリングギヤ３６を第４単純遊星ギヤセット２６の太陽ギヤ２８とリングギヤ３２に各々固定連結した。
そして前記第３単純遊星ギヤセット２４の遊星キャリア３０を第２単純遊星ギヤセット１０の遊星キャリア１８に固定連結し、第４単純遊星ギヤセット２６の太陽ギヤ３４と、第３、４単純遊星ギヤセット２６のリングギヤ３６、３２各々に第１、２クラッチ４２、４４を介在した相互固定連結されている第１、２単純遊星ギヤセット８、１０の遊星ギヤリア１４とリングギヤ１６に可変的に連結した。
また第３、４単純遊星ギヤセット２４、２６の太陽ギヤ２８、３８を変速機ハウジング４６との間に第２ブレーキ５０を介在、連結した選択的な反力要素として作用させ、第４単純遊星ギヤセット２６の遊星キャリア太陽ギヤ３４が出力要素として作用するようにした。
【００７７】
前記構成によって第２遊星ギヤセット６は第１作動要素Ｇが第４単純遊星ギヤセット２６の太陽ギヤ３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の遊星キャリア２８、３８に設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００７８】
［第２１実施例］
図２６は本発明による第２１実施例を図示したもので、これは前記第１９実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６の遊星キャリア３０、３４を第２単純遊星ギヤセット１０の遊星キャリア１８に固定連結し、第４単純遊星ギヤセット２６の太陽ギヤ３８と、第３、４単純遊星ギヤセット２６のリングギヤ３６、３２各々に第１、２クラッチ４２、４４を介在して相互固定連結されている第１、２単純遊星ギヤセット８、１０の遊星ギヤリア１４とリングギヤ１６に可変的に連結した。
また第３単純遊星ギヤセット２４の太陽ギヤ２８を変速機ハウジング４６との間に第２ブレーキ５０を介在、連結して選択的な反力要素として作用させ、第４単純遊星ギヤセット２６の太陽ギヤ３８が出力要素として作用するようにした。
【００７９】
前記構成によって第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第３単純遊星ギヤセット２４の太陽ギヤ２８に設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００８０】
［第２２実施例］
図２７は本発明による第２２実施例を図示したもので、これは前記第１９実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３単純遊星ギヤセット２４のリングギヤ３６各々に第１、２クラッチ４２、４４を介在した相互固定連結されている第１、２単純遊星ギヤセット８、１０の遊星ギヤリア１４とリングギヤ１６に可変的に連結した。
また第３、４単純遊星ギヤセット２４、２６の太陽ギヤ１２と遊星キャリア３４を変速機ハウジング４６との間に第２ブレーキ５０を介在、連結した選択的な反力要素として作用させ、第４単純遊星ギヤセット２６の太陽ギヤ３８が出力要素として作用するようにした。
【００８１】
前記構成によって第２遊星ギヤセット６は第１作動要素Ｇが第４単純遊星ギヤセット２６の太陽ギヤ３２、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４に設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００８２】
［第２３実施例］
図２８は本発明による第２３実施例を図示したもので、これは前記第１９実施例に於いて第１遊星ギヤセット４を組合する時、第１単純遊星ギヤセット８の遊星キャリア１４とリングギヤ２２を第２単純遊星ギヤセット１０の太陽ギヤ１２とリングギヤ１６に各々固定連結して組合した。
そして前記第２遊星ギヤセット６は第２単純遊星ギヤセット２４の太陽ギヤ２８と遊星キャリア３０を第４単純遊星ギヤセット２６の遊星キャリア３４とリングギヤ３２に各々固定連結した。
そして前記第１、２遊星ギヤセット４、６を組合する時には第２単純遊星ギヤセット１０の遊星キャリア１８を第３単純遊星ギヤセット２４のリングギヤ３６に固定的に連結し、第１、２単純遊星ギヤセット８、１０の太陽ギヤ１２と遊星キャリア１８を第３、４単純遊星ギヤセット２４、２６の太陽ギヤ２８と遊星キャリア３４、第３、４単純遊星ギヤセット２４、２６の遊星キャリア３０とリングギヤ３２に可変的に連結した。
前記可変連結部位では第１、２クラッチ４２、４４が介在されて選択的に動力が伝達され、前記第１、２単純遊星ギヤセット８、１０のリングギヤ２２、１６と、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤ２８と遊星キャリア３４を出力要素として作用させた。
【００８３】
前記構成によって第１遊星ギヤセット４は第１作動要素Ａが第１単純遊星ギヤセット８の太陽ギヤ１２、第２作動要素Ｂが第１、２単純遊星ギヤセット８、１０の遊星キャリア１４と太陽ギヤ２０、第３作動要素Ｃが第１、２単純遊星ギヤセット８、１０のリングギヤ２２、１６、第４作動要素Ｄが第２単純遊星ギヤセット１０の遊星キャリア１８に設定される４つの作動要素を保有する。
そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ２８に設定される４つの作動要素を保有する。
【００８４】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００８５】
［第２４実施例］
図２９は本発明による第２４実施例を図示したもので、これは前記第２３実施例に於いて第２遊星ギヤセット６を組合する時、第３単純遊星ギヤセット２４の太陽ギヤ２８とリングギヤ３６を第４単純遊星ギヤセット２６の太陽ギヤ２８とリングギヤ３２に各々固定連結して組合した。
そして前記第３単純遊星ギヤセット２４の遊星キャリア３０を第２単純遊星ギヤセット１０の遊星キャリア１８に固定連結し、第４単純遊星ギヤセット２６の遊星キャリア３４と第３、４単純遊星ギヤセット２６のリングギヤ３６、３２各々に第１、２クラッチ４２、４４を介在して相互固定連結されている第１、２単純遊星ギヤセット８、１０の遊星キャリア１４と太陽ギヤ２０に可変的に連結した。
また、前記第３単純遊星ギヤセット２４の遊星キャリア３０を第２単純遊星ギヤセット１０の遊星キャリア１８に固定連結し、第４単純遊星ギヤセット２６の遊星キャリア３４と、第３、４単純遊星ギヤセット２６のリングギヤ３６、３２各々に第１、２倉っと４２、４４を介在して相互連結されている第１、２単純遊星ギヤセット８、１０の遊星キャリア１４と太陽ギヤ２０に可変的に連結した。
また第３、４単純遊星ギヤセット２４、２６の太陽ギヤ２８、３８を変速機ハウジング４６との間に第２ブレーキ５０に介在、連結して選択的な反力要素として作用させており、第４単純遊星ギヤセット２６り遊星キャリア３４が出力要素として作用するようにした。
【００８６】
前記構成により第２遊星ギヤセット６は第１作動要素Ｇが第４単純遊星ギヤセット２６の遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の太陽ギヤ２８、３８に設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【００８７】
［第２５実施例］
図３０は本発明による第２５実施例を図示したもので、これは前記第２３実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６の遊星キャリア３０、３４を第２単純遊星ギヤセット１０の遊星キャリア１８に固定連結し、第４単純遊星ギヤセット２６の太陽ギヤ３８と、第３、４単純遊星ギヤセット２４、２６のリングギヤ３６、３２各々に第１、２クラッチ４２、４４を介在して相互固定連結されている第１、２単純遊星ギヤセット８、１０の遊星キャリア１４と太陽ギヤ２０に可変的に連結した。
また、第３単純遊星ギヤセット２４の太陽ギヤ２８を変速機ハウジング４６との間に第２ブレーキ５０に介在、連結して選択的な反力要素として作用するようにし、第４単純遊星ギヤセット２６の太陽ギヤ３８を出力要素として作用させた。
【００８８】
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第３単純遊星ギヤセット２４の太陽ギヤ２８に設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は第２遊星ギヤセット６の各作動要素を構成する部品だけ第１実施例と異なるだけで各変速段で同一作動要素の作動により変速が行われるようが、その詳しい説明は省略する。
【００８９】
［第２６実施例］
図３１は本発明による第２６実施例を図示したもので、これは前記第２３実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０の遊星キャリア１４と太陽ギヤ２０に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【００９０】
前記構成により第２遊星ギヤセット６は第１作動要素Ｇが第４単純遊星ギヤセット２６の太陽ギヤ３２、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【００９１】
［第２７実施例］
図３２は本発明による第２７実施例を図示したもので、これは前記第１９実施例に於いて第１遊星ギヤセット４を組合する時、第１単純遊星ギヤセット８の太陽ギヤ１２とリングギヤ２２を第２単純遊星ギヤセット１０のリングギヤ１６と遊星キャリア１８に各々固定連結して組合した。
そして前記第２単純遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２遊星ギヤセット４、６を組合することに於いては第１、２単純遊星ギヤセット８、１０のリングギヤ２２と遊星キャリア１８を第３単純遊星ギヤセット２４のリングギヤ３６に固定的に連結し、第１、２単純遊星ギヤセット８、１０の太陽ギヤ１２とリングギヤ１６を第３、４単純遊星ギヤセット２４、２６の遊星キャリア３０とリングギヤに可変的な連結が行われるようにした。
前記可変的な連結部位には第１、２クラッチ４２、４４が介在されて選択的に動力伝達が行われるようにし、前記第１たんじのゅん遊星ギヤセット８の遊星キャリア１４と、第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８と遊星キャリア３４を出力要素として作用させた。
【００９２】
前記構成により第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８の遊星キャリア１４、第４作動要素Ｄが第１、２単純遊星ギヤセット１０のリングギヤ２２と遊星キャリア１８に設定される４つの作動要素を保有する。
そして前記第２遊星ギヤセット６は第１作動要素Ｇが第３、４単純遊星ギヤセット２６の太陽ギヤ２８と遊星キャリア３４、、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は各作動要素を構成する部品だけ第１実施例と異なるだけで各変速段で同一作動要素の作動により変速が行われるようが、その詳しい説明は省略する。
【００９３】
［第２８実施例］
図３３は本発明による第２８実施例を図示したもので、これは前記第２７実施例に於いて第２遊星ギヤセット６を組合する時、第３単純遊星ギヤセット２４の太陽ギヤ３０とリングギヤ３６を第４単純遊星ギヤセット２６の遊星キャリア３４とリングギヤ３２に各々固定連結して組合した。
そして前記第３、４単純遊星ギヤセット２４、２６の遊星キャリア３０、３４を第１、２単純遊星ギヤセット８、１０のリングギヤ２２と遊星キャリア１８に固定連結し、第４単純遊星ギヤセット２６の太陽ギヤ３８と、第３、４単純遊星ギヤセット２４、２６のリングギヤ３６、３２各々に第１、２クラッチ４２、４４を介在して相互固定連結されている第１、２単純遊星ギヤセット８、１０の太陽ギヤ１２とリングギヤ１６に可変的に連結した。
【００９４】
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【００９５】
［第２９実施例］
図３４は本発明による第２９実施例を図示したもので、これは前記第２７実施例に於いて第２遊星ギヤセット６を組合する時、第３単純遊星ギヤセット２４の太陽ギヤ２８とリングギヤ３６を第４単純遊星ギヤセット２６の太陽ギヤ２８とリング３２に各々固定連結して組合した。
そして前記第３単純遊星ギヤセット２４の遊星キャリア３０を第１、２単純遊星ギヤセット８、１０のリングギヤ２２と遊星キャリア１８に固定連結し、第４単純遊星ギヤセット２６の遊星キャリア３４と、第３、４単純遊星ギヤセット２６のリングギヤ３６、３２各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の太陽ギヤ３４を出力要素として作用させた。
【００９６】
前記構成により第２遊星ギヤセット６は第１作動要素Ｇが第４単純遊星ギヤセット２６の遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【００９７】
［第３０実施例］
図３５は本発明による第３０実施例を図示したもので、これは前記第２７実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第１、２単純遊星ギヤセット８、１０のリングギヤ２２と遊星キャリア１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０の太陽ギヤ１２と太陽ギヤ２０に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【００９８】
前記構成により第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリアで設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【００９９】
［第３１実施例］
図３６は本発明による第３１実施例を図示したもので、第１遊星ギヤセット４はシングルピニオン遊星ギヤセットである第１単純遊星ギヤセット８とダブルピニオン遊星ギヤセットである第２単純遊星ギヤセット１０の組合で形成し、第２遊星ギヤセット６はダブルピニオン遊星ギヤセットである第３単純遊星ギヤセット２４と、シングルピニオン遊星ギヤセットである第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の太陽ギヤ１２とリングギヤ１６に各々固定的に連結、組合した。
前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８を第３、４単純遊星ギヤセット２４のリングギヤ３６、３２に固定的に連結し、第１、２単純遊星ギヤセット８、１０の太陽ギヤ１２とリングギヤ１６を第４単純遊星ギヤセット２６の太陽ギヤ３８と、第３、４単純遊星ギヤセット２４、２６の遊星キャリア３０、３４に可変的に連結させた。
前記可変的な連結部位には第１、２クラッチ４２、４４を介在して選択的に動力伝達を行わせ、前記第１単純遊星ギヤセット８のリングギヤ２２、第３単純遊星ギヤセット２４の太陽ギヤ２８が各々第１、２ブレーキ４８、５０を介在して変速機ハウジング４６に連結させ、前記第４単純遊星ギヤセット２６の太陽ギヤ２８が出力要素として作用するようにした。
【０１００】
前記構成によって第１遊星ギヤセット４は第１作動要素Ａが第１、２単純遊星ギヤセット８、１０の太陽ギヤ１２、２０、第２作動要素Ｂが第１、２単純遊星ギヤセット８、１０の遊星キャリア１４とリングギヤ１６、第３作動要素Ｃが第１単純遊星ギヤセット８のリングギヤ２２、第４作動要素Ｄが第２単純遊星ギヤセット１０の遊星キャリア１８で設定される４つの作動要素を保有する。
そして前記第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第３単純遊星ギヤセット２４の太陽ギヤ２８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１０１】
［第３２実施例］
図３７は本発明による第３２実施例を図示したもので、これは前記第３１実施例に於いて第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３単純遊星ギヤセット２４のリングギヤ３６を第２単純遊星ギヤセット１０の遊星キャリア１８に固定連結し、第４単純遊星ギヤセット２６のリングギヤ３２と、第３、４単純遊星ギヤセット２４の遊星キャリア３０、３４各々に第１、２クラッチ４２、４４を介在して相互固定連結されている第１、２単純遊星ギヤセット８、１０の遊星キャリア３０、３４可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の太陽ギヤ３４を出力要素として作用させた。
【０１０２】
前記構成により第２遊星ギヤセット６は第１作動要素Ｇが第４単純遊星ギヤセット２６のリングギヤ３２、第２作動要素Ｈが第３、４単純遊星ギヤセット２４、２６の遊星キャリア３０、３４、第３作動要素Ｉが第３単純遊星ギヤセット２４のリングギヤ３２、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１０３】
［第３３実施例］
図３７は本発明による第３３実施例を図示したもので、これは前記第３１実施例に於いて第１遊星ギヤセット４を組合する時、第１単純遊星ギヤセット８の遊星キャリア１４とリングギヤ２２を第２単純遊星ギヤセット１０の太陽ギヤ１２とリングギヤ１６に各々固定連結して組合した。
そして前記第２単純遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
前記第１、２遊星ギヤセット４、６を組合することに於いては第２単純遊星ギヤセット１０の遊星キャリア１８を第３、４単純遊星ギヤセット２４、２６の遊星キャリア３０、３４に固定的に連結し、第１、２単純遊星ギヤセット８、１０の太陽ギヤ１２と遊星キャリア１８を第３単純遊星ギヤセット２４の太陽ギヤと第３、４単純遊星ギヤセット２４、２６のリングギヤ３６、３２に可変的に連結した。
【０１０４】
前記可変連結部位には第１、２クラッチ４２、４４が介在されて選択的に動力伝達を行い、前記だい１、２単純遊星ギヤセット８、１０のリングギヤ２２、１６と第４単純遊星ギヤセット２６の太陽ギヤ３８が各々第１、２ブレーキ４８、５０を介在して変速機ハウジング４６に連結させ、前記第３、４単純遊星ギヤセット２４、２６の線銀２８を出力要素として作用させた。
前記構成によって第１遊星ギヤセット４は第１作動要素Ａが第１単純遊星ギヤセット８、１０の太陽ギヤ１２、第２作動要素Ｂが第１、２単純遊星ギヤセット８、１０の遊星キャリア１４と太陽ギヤ２０、第３作動要素Ｃが第１、２単純遊星ギヤセット８、１０のリングギヤ２２、１６、第４作動要素Ｄが第２単純遊星ギヤセット１０の遊星キャリア１８で設定される４つの作動要素を保有する。
そして前記第２遊星ギヤセット６は第１作動要素Ｇが第３単純遊星ギヤセット２４の太陽ギヤ２８、第２作動要素Ｈが第３、４単純遊星ギヤセット２４、２６のリングギヤ３６、３２、第３作動要素Ｉが第３、４単純遊星ギヤセット２４の遊星キャリア３０、３４、第４作動要素Ｄが第４単純遊星ギヤセット２６の太陽ギヤ３８で設定される４つの作動要素を保有する。
【０１０５】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１０６】
［第３４実施例］
図３９は本発明による第３４実施例を図示したもので、これは前記第３１実施例に於いて第１遊星ギヤセット４は第１単純遊星ギヤセット８の太陽ギヤ１２とリングギヤ２２を第２単純遊星ギヤセット１０の遊星キャリア１８とリングギヤ１６に各々固定的に連結、組合した。
そして前記第２単純遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
前記第１、２遊星ギヤセット４、６を組合することに於いては第１、２単純遊星ギヤセット８、１０のリングギヤ２２と遊星キャリア１８を第３、４単純遊星ギヤセット２４、２６の遊星キャリア３６、３２に固定的に連結し、第１、２単純遊星ギヤセット８、１０の太陽ギヤ１２とリングギヤ２２を第１、２クラッチ４２、４４を介在して第４単純雄製ギヤセット２６の太陽ギヤ３８と、第３、４単純雄製ギヤセット２４、２６の遊星キャリア３０、３４に可変的に連結した。
そして前記第１単純遊星ギヤセット８の遊星キャリア１４と第３単純遊星ギヤセット２４の太陽ギヤ２８が各々第１、２ブレーキ４８、５０を介在して変速機ハウジング４６に連結させた。
【０１０７】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット６の遊星キャリア１４、第４作動要素Ｄが第１、２単純遊星ギヤセット８、１０のリングギヤ２２と遊星キャリア１８で設定される４つの作動要素を保有する。
そして前記第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３２、３４、第３作動要素Ｉが第３、４単純遊星ギヤセット２４、２６のリングギヤ３６、３２、第４作動要素Ｄが第３単純遊星ギヤセット２４の太陽ギヤ３８で設定される４つの作動要素を保有する。
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１０８】
［第３５実施例］
図４０は本発明による第３５実施例を図示したもので、これは前記第３４実施例に於いて第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３単純遊星ギヤセット２４のリングギヤ３６を第１、２単純遊星ギヤセット８、１０のリングギヤ２２と遊星キャリア１８に固定連結し、第４単純遊星ギヤセット２６のリングギヤ３２と、第３、４単純遊星ギヤセット２４の遊星キャリア３０、３４各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６のリングギヤ３２を出力要素として作用させた。
【０１０９】
前記構成により第２遊星ギヤセット６は第１作動要素Ｇが第４単純遊星ギヤセット２６のリングギヤ３２、第２作動要素Ｈが第３、４単純遊星ギヤセット２４、２６の遊星キャリア３０、３４、第３作動要素Ｉが第３単純遊星ギヤセット２４のリングギヤ３２、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１１０】
［第３６実施例］
図４１は本発明による第３６実施例を図示したもので、第１遊星ギヤセット４はシングルピニオン遊星ギヤセットである第１単純遊星ギヤセット８とダブルピニオン遊星ギヤセットである第２単純遊星ギヤセット１０の組合で形成し、第２遊星ギヤセット６はダブルピニオン遊星ギヤセットである第３単純遊星ギヤセット２４と、ダブルピニオン遊星ギヤセットである第４単純遊星ギヤセット２６の組合で形成した。
前記第１遊星ギヤセット４は第１単純遊星ギヤセット８の太陽ギヤ１２と遊星キャリア１４を第２単純遊星ギヤセット１０の太陽ギヤ２０とリングギヤ１６に各々固定的に連結、組合した。
前記第２遊星ギヤセット６は第３単純遊星ギヤセット２４の太陽ギヤ２８とリングギヤ３６を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８を第３単純遊星ギヤセット２４の遊星キャリア３０に固定的に連結し、第１、２単純遊星ギヤセット８、１０の太陽ギヤ１２とリングギヤ１６を第３、４単純遊星ギヤセット２４、２６の太陽ギヤ２８と遊星キャリア３４、第３、４単純遊星ギヤセット２４、２６のリングギヤ３６、３２に可変的に連結させた。
【０１１１】
前記可変的な連結部位には第１、２クラッチ４２、４４を介在して選択的に動力伝達を行わせ、前記第１単純遊星ギヤセット８のリングギヤ２２、第４単純遊星ギヤセット２６の太陽ギヤ２８が各々第１、２ブレーキ４８、５０を介在して変速機ハウジング４６に連結させ、前記第３、４単純遊星ギヤセット２４、２６の太陽ギヤ２８と遊星キャリア３４が出力要素として作用するようにした。
前記構成によって第１遊星ギヤセット４は第１作動要素Ａが第１、２単純遊星ギヤセット８、１０の太陽ギヤ１２、２０、第２作動要素Ｂが第１、２単純遊星ギヤセット８、１０の遊星キャリア１４とリングギヤ１６、第３作動要素Ｃが第１単純遊星ギヤセット８のリングギヤ２２、第４作動要素Ｄが第２単純遊星ギヤセット１０の遊星キャリア１８で設定される４つの作動要素を保有する。
そして前記第２遊星ギヤセット６は第１作動要素Ｇが第３、４単純遊星ギヤセット２４、２６の太陽ギヤ２８と遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第４単純遊星ギヤセット２６の太陽ギヤ３８で設定される４つの作動要素を保有する。
【０１１２】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１１３】
［第３７実施例］
図４２は本発明による第３７実施例を図示したもので、これは前記第３６実施例に於いて第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結して組合した。
そして前記第３、４単純遊星ギヤセット２４、２６のリングギヤ３６と遊星キャリア３４を第２単純遊星ギヤセット１０の遊星キャリア１８に固定連結し、第３、４単純遊星ギヤセット２４、２６の太陽ギヤ２８、３８と、第４単純遊星ギヤセット２６のリングギヤ３２各々に第１、２クラッチ４２、４４を介在して相互固定連結されている第１、２単純遊星ギヤセット８、１０の遊星キャリア１４とリングギヤ１６に可変的に連結した。
また、第３単純遊星ギヤセット２４の遊星キャリア３０を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１１４】
前記構成により第２遊星ギヤセット６は第１作動要素Ｇが第３、４単純遊星ギヤセット２４、２６のリングギヤ２８、３８、第２作動要素Ｈが第４単純遊星ギヤセット２６のリングギヤ３２、第３作動要素Ｉが第３、４単純遊星ギヤセット２４、２６のリングギヤ３６と遊星キャリア３４、第４作動要素Ｄが第３単純遊星ギヤセット２４の遊星キャリア３０で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１１５】
［第３８実施例］
図４３は本発明による第３８実施例を図示したもので、これは前記第３６実施例に於いて第２遊星ギヤセット６を組合する時、第３単純遊星ギヤセット２４の太陽ギヤ２８と遊星キャリア３０を第４単純遊星ギヤセット２６の遊星キャリア３４と太陽ギヤ３８に各々固定連結して組合した。
そして前記第３単純遊星ギヤセット２４のリングギヤ３６を第２単純遊星ギヤセット１０の遊星キャリア１８に固定連結し、第３、４単純遊星ギヤセット２４、２６の太陽ギヤ２８と遊星キャリア３４と、第４単純遊星ギヤセット２６のリングギヤ３２各々に第１、２クラッチ４２、４４を介在して相互固定連結されている第１、２単純遊星ギヤセット８、１０の遊星キャリア１４とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３、４単純遊星ギヤセット２４、２６の太陽ギヤ２８と遊星キャリア３４を出力要素として作用させた。
【０１１６】
前記構成により第２遊星ギヤセット６は第１作動要素Ｇが第３、４単純遊星ギヤセット２４、２６の太陽ギヤと遊星キャリア３４、第２作動要素Ｈが第４単純遊星ギヤセット２６のリングギヤ３２、第３作動要素Ｉが第３単純遊星ギヤセット２４のリングギヤ３６、第４作動要素Ｄが第３、４単純遊星ギヤセット２４、２６の遊星キャリア３０と太陽ギヤで設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１１７】
［第３９実施例］
図４４は本発明による第３９実施例を図示したもので、これは前記第３６実施例に於いて第２遊星ギヤセット６を組合する時、第３単純遊星ギヤセット２４の遊星キャリア３０とリングギヤ３６を第４単純遊星ギヤセット２６の太陽ギヤ３８とりんぐギヤ３２に各々固定連結して組合した。
そして前記第３、４単純遊星ギヤセット２４、２６のリングギヤ３６、３２を第２単純遊星ギヤセット１０の遊星キャリア１８に固定連結し、第３単純遊星ギヤセット２４の太陽ギヤ２８と、第４単純遊星ギヤセット２６の遊星キャリア３４各々に第１、２クラッチ４２、４４を介在して相互固定連結されている第１、２単純遊星ギヤセット８、１０の遊星キャリア１４とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３単純遊星ギヤセット２４の太陽ギヤ２８を出力要素として作用させた。
【０１１８】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３４、第３作動要素Ｉが第３、４単純遊星ギヤセット２４、２６のリングギヤ３６、３２、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１１９】
［第４０実施例］
図４５は本発明による第４０実施例を図示したもので、前記第３６実施例に於いて、第１遊星ギヤセット４は第１単純遊星ギヤセット８の遊星キャリアとリングギヤ２２を第２単純遊星ギヤセット１０の太陽ギヤ２０とリングギヤ１６に各々固定的に連結して組合した。
そして第２遊星ギヤセット６は第３単純遊星ギヤセット２４の遊星キャリア３０とリングギヤ３６を第４単純遊星ギヤセット２６の太陽ギヤ２８とリングギヤ３２に各々固定的に連結した。
前記第１、２遊星ギヤセット４、６を組合することに於いては第２単純遊星ギヤセット１０の遊星キャリア１８を第４単純遊星ギヤセット２６の遊星キャリア３４に固定的に連結し、第１、２単純遊星ギヤセット８、１０の遊星キャリア１４と太陽ギヤ２０を第１、２クラッチ４２、４４を介在して第３、４単純遊星ギヤセット２４、２６のリングギヤ３６、３２に可変的に連結させた。
そして前記第１、２単純遊星ギヤセット８、１０のリングギヤ２２、１６と、第３単純遊星ギヤセット２４の太陽ギヤ２８が各々第１、２ブレーキ４８、５０を介在して変速機ハウジング４６に連結させた。
【０１２０】
前記構成によって第１遊星ギヤセット４は第１作動要素Ａが第１単純遊星ギヤセット８の太陽ギヤ１２、第２作動要素Ｂが第１、２単純遊星ギヤセット８、１０の遊星キャリア１４と太陽ギヤ２０、第３作動要素Ｃが第１、２単純遊星ギヤセット８、１０のリングギヤ２２、１６、第４作動要素Ｄが第２単純遊星ギヤセット１０の遊星キャリア１８で設定される４つの作動要素を保有する。
そして前記第２遊星ギヤセット６は第１作動要素Ｇが第３、４単純遊星ギヤセット２４、２６の遊星キャリア２０と太陽ギヤ３８、第２作動要素Ｈが第３、４単純遊星ギヤセット２４、２６のリングギヤ３６、３２、第３作動要素Ｉが第４単純遊星ギヤセット２４、２６の遊星キャリア３４、第４作動要素Ｄが第３単純遊星ギヤセット２４の太陽ギヤ２８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１２１】
［第４１実施例］
図４６は本発明による第４１実施例を図示したもので、これは前記第４０実施例に於いて第２遊星ギヤセット６を組合する時、第３単純遊星ギヤセット２４の太陽ギヤ２８と遊星キャリア３０を第４単純遊星ギヤセット２６の太陽ギヤ３８とリングギヤ３２各々固定連結して組合した。
そして前記第３、４単純遊星ギヤセット２４、２６の遊星キャリア３０とリングギヤ３２を第２単純遊星ギヤセット１０の遊星キャリア１８に固定連結し、第３、４単純遊星ギヤセット２６の太陽ギヤ２８、３８と、第３単純遊星ギヤセット２６のリングギヤ３６各々に第１、２クラッチ４２、４４を介在して相互固定連結されている第１、２単純遊星ギヤセット８、１０の遊星キャリア１４と太陽ギヤ２０に可変的に連結した。
また、第４単純遊星ギヤセット２６の遊星キャリア３４を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１２２】
前記構成により第２遊星ギヤセット６は第１作動要素Ｇが第３、４単純遊星ギヤセット２４、２６の太陽ギヤ２８、３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第４単純遊星ギヤセット２６の遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１２３】
［第４２実施例］
図４７は本発明による第４２実施例を図示したもので、これは前記第４０実施例に於いて第２遊星ギヤセット６を組合する時、第３単純遊星ギヤセット２４の太陽ギヤ２８とリングギヤ３６を第４単純遊星ギヤセット２６の遊星キャリア３０とリングギヤ３２各々固定連結して組合した。
そして前記第３、４単純遊星ギヤセット２４、２６のリングギヤ３６、３２を第２単純遊星ギヤセット１０の遊星キャリア１８に固定連結し、第４単純遊星ギヤセット２６の太陽ギヤ３８と、第３単純遊星ギヤセット２６の遊星キャリア３０各々に第１、２クラッチ４２、４４を介在して相互固定連結されている第１、２単純遊星ギヤセット８、１０の遊星キャリア１４と太陽ギヤ２０に可変的に連結した。
また、第３、４単純遊星ギヤセット２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０１２４】
前記構成により第２遊星ギヤセット６は第１作動要素Ｇが第４単純遊星ギヤセット２６の太陽ギヤ３８、第２作動要素Ｈが第３単純遊星ギヤセット２４の遊星キャリア３０、第３作動要素Ｉが第３、４単純遊星ギヤセット２４、２６のリングギヤ３６、３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１２５】
［第４３実施例］
図４８は本発明による第４３実施例を図示したもので、これは前記第３６実施例に於いて第１遊星ギヤセット４を組合する時、第１単純遊星ギヤセット８の太陽ギヤ１２とリングギヤ２２を第２単純遊星ギヤセット１０のリングギヤ１６と遊星キャリア１８各々に固定連結して組合した。
前記第２遊星ギヤセット６は第３単純遊星ギヤセット２４の太陽ギヤ２８と遊星キャリア３６を第４単純遊星ギヤセット２６の遊星キャリア３４とリングギヤ３２に各々固定的に連結した。
そして前記第１、２遊星ギヤセット４、６を組合することに於いては第１、２単純遊星ギヤセット８、１０のリングギヤ２２と遊星キャリア１８を第３単純遊星ギヤセット２４の遊星キャリア３０に固定的に連結し、第１、２単純遊星ギヤセット８、１０の太陽ギヤ１２とリングギヤ１６を第３、４単純遊星ギヤセット２４の、２６の太陽ギヤ２８と遊星キャリア３４、第３、４単純遊星ギヤセット２４、２６のリングギヤ３６、３２に可変的に連結させた。
前記可変的な連結部位には第１、２クラッチ４２、４４を介在して選択的に動力伝達を行わせ、前記第１単純遊星ギヤセット８の遊星キャリア１４と、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤ２８と遊星キャリア３４が出力要素として作用するようにした。
【０１２６】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８の遊星キャリア１４、第４作動要素Ｄが第１、２単純遊星ギヤセット８、１０のリングギヤ２２と遊星キャリア１８で設定される４つの作動要素を保有する。
そして前記第２遊星ギヤセット６は第１作動要素Ｇが第３、４単純遊星ギヤセット２４、２６の太陽ギヤ２８と遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１２７】
［第４４実施例］
図４９は本発明による第４４実施例を図示したもので、これは前記第４３実施例に於いて第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結して組合した。
そして前記第３、４単純遊星ギヤセット２４、２６のリングギヤ３６と遊星キャリア３４を第１、２単純遊星ギヤセット８、１０の遊星キャリア１８に固定連結し、第３、４単純遊星ギヤセット２４、２６の太陽ギヤ２８、３８と、第４単純遊星ギヤセット２６のリングギヤ３２各々に第１、２クラッチ４２、４４を介在して相互固定連結されている第１、２単純遊星ギヤセット８、１０の太陽ギヤ１２とリングギヤ１６に可変的に連結した。
また、第３単純遊星ギヤセット２４の遊星キャリア３０を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１２８】
前記構成により第２遊星ギヤセット６は第１作動要素Ｇが第３、４単純遊星ギヤセット２４、２６の太陽ギヤ２８、３８、第２作動要素Ｈが第４単純遊星ギヤセット２６のリングギヤ３２、第３作動要素Ｉが第３、４単純遊星ギヤセット２４、２６のリングギヤ３６と遊星キャリア３４、第４作動要素Ｄが第３単純遊星ギヤセット２４の遊星キャリア３０で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１２９】
［第４５実施例］
図５０は本発明による第４５実施例を図示したもので、これは前記第４３実施例に於いて第２遊星ギヤセット６を組合する時、第３単純遊星ギヤセット２４の太陽ギヤ２８と遊星キャリア３０を第４単純遊星ギヤセット２６の遊星キャリア３４と太陽ギヤ３８にに各々固定連結して組合した。
そして前記第３単純遊星ギヤセット２４のリングギヤ３６を第１、２単純遊星ギヤセット８、１０のリングギヤ２２と遊星キャリア１８に固定連結し、第３、４単純遊星ギヤセット２４、２６の太陽ギヤ２８と遊星キャリア３４と、第４単純遊星ギヤセット２６のリングギヤ３２各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３、４単純遊星ギヤセット２４、２６の太陽ギヤ２８と遊星キャリア３４を出力要素として作用させた。
【０１３０】
前記構成により第２遊星ギヤセット６は第１作動要素Ｇが第３、４単純遊星ギヤセット２４、２６の太陽ギヤ２８と遊星キャリア３４、第２作動要素Ｈが第４単純遊星ギヤセット２６のリングギヤ３２、第３作動要素Ｉが第３単純遊星ギヤセット２４のリングギヤ３６、第４作動要素Ｄが第３、４単純遊星ギヤセット２４、２６の遊星キャリア３０と太陽ギヤで設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１３１】
［第４６実施例］
図５１は本発明による第４６実施例を図示したもので、これは前記第４３実施例に於いて第２遊星ギヤセット６を組合する時、第３単純遊星ギヤセット２４の遊星キャリア３０とリングギヤ３６を第４単純遊星ギヤセット２６の太陽ギヤ３８とリングギヤ３２に各々固定連結して組合した。
そして前記第３、４単純遊星ギヤセット２４、２６のリングギヤ３６、３２を第１、２単純遊星ギヤセット８、１０のリングギヤ２２と遊星キャリア１８に固定連結し、第３単純遊星ギヤセット２４の太陽ギヤ２８と、第４単純遊星ギヤセット２６の遊星キャリア３４各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３単純遊星ギヤセット２４の太陽ギヤ２８を出力要素として作用させた。
【０１３２】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３４、第３作動要素Ｉが第３、４単純遊星ギヤセット２４、２６のリングギヤ３６、３２、第４作動要素Ｄが第３、４単純遊星ギヤセット２４、２６の遊星キャリア３０と太陽ギヤで設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１３３】
［第４７実施例］
図５２は本発明による第４７実施例を図示したもので、第１遊星ギヤセット４はダブルピニオン遊星ギヤセットである第１、２単純遊星ギヤセット８、１０の組合で形成し、第２遊星ギヤセット６はダブルピニオン遊星ギヤセットである第３、４単純遊星ギヤセット２４、２６の組合で形成した。
前記第１遊星ギヤセット４は第１単純遊星ギヤセット８の太陽ギヤ１２とリングギヤ２２を第２単純遊星ギヤセット１０の太陽ギヤ２０とリングギヤ１６に各々固定的に連結、組合した。
前記第２遊星ギヤセット６は第３単純遊星ギヤセット２４の太陽ギヤ２８とリングギヤ３６を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８を第３単純遊星ギヤセット２４の遊星キャリア３０に固定的に連結し、第１、２単純遊星ギヤセット８、１０のリングギヤ２２、１６を第３、４単純遊星ギヤセット２４、２６の太陽ギヤ２８と遊星キャリア３４、第３、４単純遊星ギヤセット２４、２６のリングギヤ３６、３２に可変的に連結させた。
【０１３４】
前記可変的な連結部位には第１、２クラッチ４２、４４を介在して選択的に動力伝達を行わせ、前記第１単純遊星ギヤセット８の遊星キャリア１４と、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤ２８と遊星キャリア３４が出力要素として作用するようにした。
前記構成によって第１遊星ギヤセット４は第１作動要素Ａが第１、２単純遊星ギヤセット８、１０の太陽ギヤ１２、２０、第２作動要素Ｂが第１、２単純遊星ギヤセット８、１０のリングギヤ２２、１６、第３作動要素Ｃが第１単純遊星ギヤセット８の遊星キャリア１４、第４作動要素Ｄが第２単純遊星ギヤセット１０の遊星キャリア１８で設定される４つの作動要素を保有する。
【０１３５】
そして前記第２遊星ギヤセット６は第１作動要素Ｇが第３、４単純遊星ギヤセット２４、２６の太陽ギヤ２８と遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１３６】
［第４８実施例］
図５３は本発明による第４８実施例を図示したもので、これは前記第４７実施例に於いて第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結して組合した。
そして前記第３、４単純遊星ギヤセット２４、２６のリングギヤ３６と遊星キャリア３４を第２単純遊星ギヤセット１０の遊星キャリア１８に固定連結し、第３、４単純遊星ギヤセット２４、２６の太陽ギヤ２８、３８と、第４単純遊星ギヤセット２６のリングギヤ３２各々に第１、２クラッチ４２、４４を介在して相互固定連結されている第１、２単純遊星ギヤセット８、１０のリングギヤ２２、１６に可変的に連結した。
また、第３単純遊星ギヤセット２４の遊星キャリア３０を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１３７】
前記構成により第２遊星ギヤセット６は第１作動要素Ｇが第３、４単純遊星ギヤセット２４、２６の太陽ギヤ２８、３８、第２作動要素Ｈが第４単純遊星ギヤセット２６のリングギヤ３２、第３作動要素Ｉが第３、４単純遊星ギヤセット２４、２６のリングギヤ３６と遊星キャリア３４、第４作動要素Ｄが第３単純遊星ギヤセット２４の遊星キャリア３０で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１３８】
［第４９実施例］
図５４は本発明による第４９実施例を図示したもので、これは前記第４７実施例に於いて第２遊星ギヤセット６を組合する時、第３単純遊星ギヤセット２４の太陽ギヤ２８と遊星キャリア３０を第４単純遊星ギヤセット２６の遊星キャリア３４と太陽ギヤ３８に各々固定連結して組合した。
そして前記第３単純遊星ギヤセット２４のリングギヤ３６を第２単純遊星ギヤセット１０の遊星キャリア１８に固定連結し、第３、４単純遊星ギヤセット２４、２６の太陽ギヤ２８と遊星キャリア３４、第４単純遊星ギヤセット２６のリングギヤ３２各々に第１、２クラッチ４２、４４を介在して相互固定連結されている第１、２単純遊星ギヤセット８、１０のリングギヤ２２、１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３、４単純遊星ギヤセット２４、２６の太陽ギヤ２８と遊星キャリア３４を出力要素として作用させた。
【０１３９】
前記構成により第２遊星ギヤセット６は第１作動要素Ｇが第３、４単純遊星ギヤセット２４、２６の太陽ギヤ２８と遊星キャリア３４、第２作動要素Ｈが第４単純遊星ギヤセット２６のリングギヤ３２、第３作動要素Ｉが第３単純遊星ギヤセット２４のリングギヤ３６、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１４０】
［第５０実施例］
図５５は本発明による第５０実施例を図示したもので、これは前記第４７実施例に於いて第２遊星ギヤセット６を組合する時、第３単純遊星ギヤセット２４の遊星キャリア３０とリングギヤ３６を第４単純遊星ギヤセット２６の太陽ギヤ３８とリングギヤ３２に各々固定連結して組合した。
そして前記第３、４単純遊星ギヤセット２４、２６のリングギヤ３６、３２を第２単純遊星ギヤセット１０の遊星キャリア１８に固定連結し、第３単純遊星ギヤセット２４の太陽ギヤ２８と、第４単純遊星ギヤセット２６の遊星キャリア３４各々に第１、２クラッチ４２、４４を介在して相互固定連結されている第１、２単純遊星ギヤセット８、１０のリングギヤ２２、１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３単純遊星ギヤセット２４の太陽ギヤ２８を出力要素として作用させた。
【０１４１】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３４、第３作動要素Ｉが第３、４単純遊星ギヤセット２４、２６のリングギヤ３６、３２、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１４２】
［第５１実施例］
図５６は本発明による第５１実施例を図示したもので、前記第４７実施例に於いて、第１遊星ギヤセット４は第１単純遊星ギヤセット８の遊星キャリア１４とリングギヤ２２を第２単純遊星ギヤセット１０のリングギヤ１６と太陽ギヤ２０に各々固定的に連結して組合した。
そして第２遊星ギヤセット６は第３単純遊星ギヤセット２４の遊星キャリア３０とリングギヤ３６を第４単純遊星ギヤセット２６の太陽ギヤ２８とリングギヤ３２に各々固定的に連結した。
前記第１、２遊星ギヤセット４、６を組合することに於いては第２単純遊星ギヤセット１０の遊星キャリア１８を第４単純遊星ギヤセット２６の遊星キャリア３４に固定的に連結し、第１、２単純遊星ギヤセット８、１０のリングギヤ２２と太陽ギヤ２０を第１、２クラッチ４２、４４を介在して第３、４単純遊星ギヤセット２４、２６の遊星キャリア３０と太陽ギヤ３８、第３、４単純遊星ギヤセット２４、２６のリングギヤ３６、３２に可変的に連結させた。
そして前記第１、２単純遊星ギヤセット８、１０の遊星キャリア１４とリングギヤ１６、第３単純遊星ギヤセット２４の太陽ギヤ２８が各々第１、２ブレーキ４８、５０を介在して変速機ハウジング４６に連結させた。
【０１４３】
前記構成によって第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８、１０の遊星キャリア１４とリングギヤ１６、第４作動要素Ｄが第２単純遊星ギヤセット１０の遊星キャリア１８で設定される４つの作動要素を保有する。
そして前記第２遊星ギヤセット６は第１作動要素Ｇが第３、４単純遊星ギヤセット２４、２６の遊星キャリア２０と太陽ギヤ３８、第２作動要素Ｈが第３、４単純遊星ギヤセット２４、２６のリングギヤ３６、３２、第３作動要素Ｉが第４単純遊星ギヤセット２４、２６の遊星キャリア３４、第４作動要素Ｄが第３単純遊星ギヤセット２４の太陽ギヤ２８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１４４】
［第５２実施例］
図５７は本発明による第５２実施例を図示したもので、これは前記第５１実施例に於いて第２遊星ギヤセット６を組合する時、第３単純遊星ギヤセット２４の太陽ギヤ２８と遊星キャリア３０を第４単純遊星ギヤセット２６の太陽ギヤ３８とリングギヤ３２各々固定連結して組合した。
そして前記第３、４単純遊星ギヤセット２４、２６の遊星キャリア３０とリングギヤ３２を第２単純遊星ギヤセット１０の遊星キャリア１８に固定連結し、第３、４単純遊星ギヤセット２６の太陽ギヤ２８、３８と、第３単純遊星ギヤセット２６のリングギヤ３６各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２６の遊星キャリア３４を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１４５】
前記構成により第２遊星ギヤセット６は第１作動要素Ｇが第３、４単純遊星ギヤセット２４、２６の太陽ギヤ２８、３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第４単純遊星ギヤセット２６の遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１４６】
［第５３実施例］
図５８は本発明による第５３実施例を図示したもので、これは前記第５１実施例に於いて第２遊星ギヤセット６を組合する時、第３単純遊星ギヤセット２４の太陽ギヤ２８とリングギヤ３６を第４単純遊星ギヤセット２６の遊星キャリア３０とリングギヤ３２各々固定連結して組合した。
そして前記第３、４単純遊星ギヤセット２４、２６のリングギヤ３６、３２を第２単純遊星ギヤセット１０の遊星キャリア１８に固定連結し、第４単純遊星ギヤセット２６の太陽ギヤ３８と、第３単純遊星ギヤセット２６の遊星キャリア３０各々に第１、２クラッチ４２、４４を介在して相互固定連結されている第１、２単純遊星ギヤセット８、１０の遊星キャリア１４と太陽ギヤ２０に可変的に連結した。
また、第３、４単純遊星ギヤセット２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０１４７】
前記構成により第２遊星ギヤセット６は第１作動要素Ｇが第４単純遊星ギヤセット２６の太陽ギヤ３８、第２作動要素Ｈが第３単純遊星ギヤセット２４の遊星キャリア３０、第３作動要素Ｉが第３、４単純遊星ギヤセット２４、２６のリングギヤ３６、３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１４８】
［第５４実施例］
図５９は本発明による第５４実施例を図示したもので、これは前記第４７実施例に於いて第１遊星ギヤセット４を組合する時、第１単純遊星ギヤセット８の太陽ギヤ１２と遊星キャリア１４を第２単純遊星ギヤセット１０のリングギヤ１６と遊星キャリア１８各々に固定連結して組合した。
前記第２遊星ギヤセット６は第３単純遊星ギヤセット２４の太陽ギヤ２８とリングギヤ３６を第４単純遊星ギヤセット２６の遊星キャリア３４とリングギヤ３２に各々固定的に連結した。
そして前記第１、２遊星ギヤセット４、６を組合することに於いては第１、２単純遊星ギヤセット８、１０の遊星キャリア１４、１８を第３単純遊星ギヤセット２４の遊星キャリア３０に固定的に連結し、第１、２単純遊星ギヤセット８、１０の太陽ギヤ１２とリングギヤ１６を第３、４単純遊星ギヤセット２４、２６の太陽ギヤ２８と遊星キャリア３４、第３、４単純遊星ギヤセット２４、２６のリングギヤ３６、３２に可変的に連結させた。
前記可変的な連結部位には第１、２クラッチ４２、４４を介在して選択的に動力伝達を行わせ、前記第１単純遊星ギヤセット８のリングギヤ１６と、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤ２８と遊星キャリア３４が出力要素として作用するようにした。
【０１４９】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８のリングギヤ２２、第４作動要素Ｄが第１、２単純遊星ギヤセット８、１０の遊星キャリア１４、１８で設定される４つの作動要素を保有する。
そして前記第２遊星ギヤセット６は第１作動要素Ｇが第３、４単純遊星ギヤセット２４、２６の太陽ギヤ２８と遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１５０】
［第５５実施例］
図６０は本発明による第５５実施例を図示したもので、これは前記第５４実施例に於いて第２遊星ギヤセット６を組合する時、第３単純遊星ギヤセット２４の太陽ギヤ２８と遊星キャリア３６を第４単純遊星ギヤセット２６の太陽ギヤ３８と遊星キャリア３４各々に固定連結して組合した。
前記第３、４遊星ギヤセット２４、２６のリングギヤ３６と遊星キャリア３４を第１、２単純遊星ギヤセット８、１０の遊星キャリア１４、１８に固定連結し、第３、４単純遊星ギヤセット２４、２６の太陽ギヤ２８、３８と、第４単純遊星ギヤセット２６のリングギヤ３２に各々に第１、２クラッチ４２、４４を介在して相互固定連結されている第１、２単純遊星ギヤセット８、１０の太陽ギヤ１２とリングギヤ１６に可変的に連結した。
また、第３単純遊星ギヤセット２４の遊星キャリア３０を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１５１】
前記構成により第２遊星ギヤセット６は第１作動要素Ｇが第３、４単純遊星ギヤセット２４、２６の太陽ギヤ２８、３８、第２作動要素Ｈが第４単純遊星ギヤセット２６のリングギヤ３２、第３作動要素Ｉが第３、４単純遊星ギヤセット２４、２６のリングギヤ３６と遊星キャリア３４、第４作動要素Ｄが第３単純遊星ギヤセット２４の遊星キャリア３０で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１５２】
［第５６実施例］
図６１は本発明による第５６実施例を図示したもので、これは前記第５４実施例に於いて第２遊星ギヤセット６を組合する時、第３単純遊星ギヤセット２４の太陽ギヤ２８と遊星キャリア３０を第４単純遊星ギヤセット２６の遊星キャリア３４と太陽ギヤ３８に各々固定連結して組合した。
そして前記第３単純遊星ギヤセット２４のリングギヤ３６を第１、２単純遊星ギヤセット８、１０の遊星キャリア１４、１８に固定連結し、第３、４単純遊星ギヤセット２４、２６の太陽ギヤ２８と遊星キャリア３４、第４単純遊星ギヤセット２６のリングギヤ３２に各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３、４単純遊星ギヤセット２４、２６の太陽ギヤ２８と遊星キャリア３４を出力要素として作用させた。
【０１５３】
前記構成により第２遊星ギヤセット６は第１作動要素Ｇが第３、４単純遊星ギヤセット２４、２６の太陽ギヤ２８と遊星キャリア３４、第２作動要素Ｈが第４単純遊星ギヤセット２６のリングギヤ３２、第３作動要素Ｉが第３単純遊星ギヤセット２４のリングギヤ３６、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１５４】
［第５７実施例］
図６２は本発明による第５７実施例を図示したもので、これは前記第５４実施例に於いて第２遊星ギヤセット６を組合する時、第３単純遊星ギヤセット２４の遊星キャリア３０とリングギヤ３６を第４単純遊星ギヤセット２６の太陽ギヤ３８とリングギヤ３２に各々固定連結して組合した。
そして前記第３、４単純遊星ギヤセット２４、２６のリングギヤ３６、３２を第１、２単純遊星ギヤセット８、１０の遊星キャリア１４、１８に固定連結し、第３単純遊星ギヤセット２４の太陽ギヤ２８と、第４単純遊星ギヤセット２６の遊星キャリア３４各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３単純遊星ギヤセット２４の太陽ギヤ２８を出力要素として作用させた。
【０１５５】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３４、第３作動要素Ｉが第３、４単純遊星ギヤセット２４、２６のリングギヤ３６、３２、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１５６】
［第５８実施例］
図６３は本発明による第５８実施例を図示したもので、これは前記第４７実施例に於いて、第１遊星ギヤセット４はダブルピニオン遊星ギヤセットである第１単純遊星ギヤセット８とシングルピニオン遊星ギヤセットである第２単純遊星ギヤセット１０の組合で形成し、第２遊星ギヤセット６はダブルピニオン遊星ギヤセットよりなる第３、４単純遊星ギヤセット２４、２６の組合で形成した。
前記で第１遊星ギヤセット４は第１単純遊星ギヤセット８の遊星キャリア１４をリングギヤ２２を第２単純遊星ギヤセット１０の遊星キャリア１８と太陽ギヤ２０に各々固定的に連結、組合した。
前記第２遊星ギヤセット６は第３単純遊星ギヤセット２４の太陽ギヤ２８とリングギヤ３６を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０のリングギヤ１６を第３単純遊星ギヤセット２４の遊星キャリア３０に固定的に連結し、第１、２単純遊星ギヤセット８、１０のリングギヤ２２と太陽ギヤ２０を第３、４単純遊星ギヤセット２４、２６の太陽ギヤ２８と遊星キャリア３４、第３、４単純遊星ギヤセット２４、２６のリングギヤ３６、３２に可変的な連結を行わせた。
【０１５７】
前記で可変的な連結部位には第１、２クラッチ４２、４４が介在されて選択的に動力伝達が行われるようにし、前記第１、２単純遊星ギヤセット８、１０の遊星キャリア１４、１８と、第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８と遊星キャリア３４を出力要素として作用させた。
前記のような構成により第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８、１０の遊星キャリア１４、１８、第４作動要素Ｄが第２単純遊星ギヤセット１０のリングギヤ１６で設定される４つの作動要素を保有する。
そして前記第２遊星ギヤセット６は第１作動要素Ｇが第３、４単純遊星ギヤセット２４、２６の太陽ギヤ２８と遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第４単純遊星ギヤセット２６の太陽ギヤ３８で設定される四つの作動要素を保有するようになる。
【０１５８】
このように構成される第１、２遊星ギヤセット４、６の各作動要素は第１実施例と同様に第１遊星ギヤセット４の第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０１５９】
［第５９実施例］
図６４は本発明による第５９実施例を図示したもので、これは前記第５８実施例に於いて第２遊星ギヤセット６を組合する時、第３単純遊星ギヤセット２４の太陽ギヤ２８と遊星キャリア３６を第４単純遊星ギヤセット２６の太陽ギヤ３８と遊星キャリア３４に各々固定連結して組合した。
そして前記第３、４単純遊星ギヤセット２４、２６のリングギヤ３６と遊星キャリア３４を第２単純遊星ギヤセット１０のリングギヤ１６に固定連結し、第３、４単純遊星ギヤセット２４、２６の太陽ギヤ２８、３８と、第４単純遊星ギヤセット２６のリングギヤ３２に各々に第１、２クラッチ４２、４４を介在して相互固定連結されている第１、２単純遊星ギヤセット８、１０のリングギヤ２２と太陽ギヤ２０に可変的に連結した。
また、第３単純遊星ギヤセット２４の遊星キャリア３０を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１６０】
前記構成により第２遊星ギヤセット６は第１作動要素Ｇが第３、４単純遊星ギヤセット２４、２６の太陽ギヤ２８、３８、第２作動要素Ｈが第４単純遊星ギヤセット２６のリングギヤ３２、第３作動要素Ｉが第３、４単純遊星ギヤセット２４、２６のリングギヤ３６と遊星キャリア３４、第４作動要素Ｄが第３、４単純遊星ギヤセット２４、２６の遊星キャリア３６と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１６１】
［第６０実施例］
図６５は本発明による第６０実施例を図示したもので、これは前記第５８実施例に於いて第２遊星ギヤセット６を組合する時、第３単純遊星ギヤセット２４の太陽ギヤ２８と遊星キャリア３０を第４単純遊星ギヤセット２６の遊星キャリア３４と太陽ギヤ３８に各々固定連結して組合した。
そして前記第３単純遊星ギヤセット２４のリングギヤ３６を第２単純遊星ギヤセット１０の遊星キャリア１６に固定連結し、第３、４単純遊星ギヤセット２４、２６の太陽ギヤ２８と遊星キャリア３４、第４単純遊星ギヤセット２６のリングギヤ３２各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３、４単純遊星ギヤセット２４、２６の太陽ギヤ２８と遊星キャリア３４を出力要素として作用させた。
【０１６２】
前記構成により第２遊星ギヤセット６は第１作動要素Ｇが第３、４単純遊星ギヤセット２４、２６の太陽ギヤ２８と遊星キャリア３４、第２作動要素Ｈが第４単純遊星ギヤセット２６のリングギヤ３２、第３作動要素Ｉが第３単純遊星ギヤセット２４のリングギヤ３６、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１６３】
［第６１実施例］
図６６は本発明による第６１実施例を図示したもので、これは前記第６１実施例に於いて第２遊星ギヤセット６を組合する時、第３単純遊星ギヤセット２４の遊星キャリア３０とリングギヤ３６を第４単純遊星ギヤセット２６の太陽ギヤ３８とリングギヤ３２に各々固定連結して組合した。
そして前記第３、４単純遊星ギヤセット２４、２６のリングギヤ３６、３２を第２単純遊星ギヤセット１０の遊星キャリア１６に固定連結し、第３単純遊星ギヤセット２４の太陽ギヤと、第４単純遊星ギヤセット２６の遊星キャリア３４各々に第１、２クラッチ４２、４４を介在して相互固定連結されている第１、２単純遊星ギヤセット８、１０のリングギヤ２２と太陽ギヤ２０に可変的に連結した。また、第３、４単純遊星ギヤセット２４、２６の遊星キャリア３０と太陽ギヤ３８を変速機ハウジング４６との間に第２ブレーキ５０に介在、連結して選択的な反力要素として作用させ、第３単純遊星ギヤセット２４の太陽ギヤ２８を出力要素として作用させた。
【０１６４】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３４、第３作動要素Ｉが第３、４単純遊星ギヤセット２４、２６のリングギヤ３６、３２、第４作動要素Ｄが第３、４単純遊星ギヤセット２４、２６の遊星キャリア３０と太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１６５】
［第６２実施例］
図６７は本発明による第６２実施例を図示したもので、これは前記第１実施例に於いて、第１遊星ギヤセット４はダブルピニオン遊星ギヤセットである第１、２単純遊星ギヤセット８、１０の組合で形成し、第２遊星ギヤセット６はシングルピニオン遊星ギヤセットよりなる第３単純遊星ギヤセット２４とダブルピニオン遊星ギヤセットである第４単純遊星ギヤセット２６の組合で形成した。前記で第１遊星ギヤセット４は第１単純遊星ギヤセット８の遊星キャリア１２をリングギヤ２２を第２単純遊星ギヤセット１０の太陽ギヤ１２とリングギヤに各々固定的に連結、組合した。前記第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
【０１６６】
そして前記第１、２遊星ギヤセット４、６を組合することに於いては第２単純遊星ギヤセット１０の遊星キャリア１８を第３単純遊星ギヤセット２４のリングギヤ３６に固定的に連結し、第１、２単純遊星ギヤセット８、１０のリングギヤ２２、１６を第３、４単純遊星ギヤセット２４、２６の太陽ギヤ２８と遊星キャリア３４、第３、４単純遊星ギヤセット２４、２６の遊星キャリア３０とリングギヤ３２に可変的な連結を行わせた。前記で可変的な連結部位には第１、２クラッチ４２、４４が介在されて選択的に動力伝達が行われるようにし、前記第１単純遊星ギヤセット８の遊星キャリア１４、第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８と遊星キャリア３４を出力要素として作用させた。
【０１６７】
前記のような構成により第１遊星ギヤセット４は第１作動要素Ａが第１、２単純遊星ギヤセット８、１０の太陽ギヤ１２、２０、第２作動要素Ｂが第１、２単純遊星ギヤセット８、１０のリングギヤ２２、１６、第３作動要素Ｃが第１単純遊星ギヤセット８の遊星キャリア１４、第４作動要素Ｄが第２単純遊星ギヤセット１０の遊星キャリア１８で設定される４つの作動要素を保有する。そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ３８で設定される４つの作動要素を保有するようになる。
【０１６８】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。そしてこれら作動は各作動要素を構成する部品が第１実施例と異なるだけで、各変速段で同一な作動要素の作動で変速が行われるようになるが、その詳しい説明は省略する。
【０１６９】
［第６３実施例］
図６８は本発明による第６３実施例を図示したもので、これは前記第６２実施例に於いて第２遊星ギヤセット６を組合する時、第３単純遊星ギヤセット２４の太陽ギヤ２８とリングギヤ３６を第４単純遊星ギヤセット２６の太陽ギヤ２８とリングギヤ３２に各々固定連結して組合した。そして前記第３単純遊星ギヤセット２４のリングギヤ３０を第２単純遊星ギヤセット１０の遊星キャリア１８に固定連結し、第４単純遊星ギヤセット２６の遊星キャリア３４と、第３、４単純遊星ギヤセット２６のリングギヤ３６、３２に各々に第１、２クラッチ４２、４４を介在して相互固定連結されている第１、２単純遊星ギヤセット８、１０のリングギヤ２２、１６に可変的に連結した。また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の遊星キャリア３４を出力要素として作用させた。
【０１７０】
前記構成により第２遊星ギヤセット６は第１作動要素Ｇが第４単純遊星ギヤセット２６の遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１７１】
［第６４実施例］
図６９は本発明による第６４実施例を図示したもので、これは前記第６２実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。そして前記第３、４単純遊星ギヤセット２４、２６の遊星キャリア３０、３４を第２単純遊星ギヤセット１０の遊星キャリア１８に固定連結し、第４単純遊星ギヤセット２６の太陽ギヤ３８と、第３、４単純遊星ギヤセット２６のリングギヤ３６、３２各々に第１、２クラッチ４２、４４を介在して相互固定連結されている第１、２単純遊星ギヤセット８、１０のリングギヤ２２、１６に可変的に連結した。
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
【０１７２】
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１７３】
［第６５実施例］
図７０は本発明による第６５実施例を図示したもので、これは前記第６２実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０のリングギヤ２２、１６に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０１７４】
前記構成により第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１７５】
［第６６実施例］
図７１は本発明による第６６実施例を図示したもので、これは前記第６２実施例に於いて第１遊星ギヤセット４を組合する時、第１単純遊星ギヤセット８の遊星キャリア１４とリングギヤ２２を第２単純遊星ギヤセット１０のリングギヤ１６と太陽ギヤ２０に各々固定連結して組合した。
そして第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８に第３単純遊星ギヤセット２４のリングギヤ３６に固定的に連結し、第１、２単純遊星ギヤセット８、１０のリングギヤ２２と太陽ギヤ２０を、第３、４単純遊星ギヤセット２４、２６の太陽ギヤ２８と遊星キャリア３４、第３、４単純遊星ギヤセット２４、２６の遊星キャリア３０とリングギヤ３２に可変的に連結した。
【０１７６】
前記可変連結部位には第１、２クラッチ４２、４４が介在されて選択的に動力伝達が行われるようにし、前記第１、２単純遊星ギヤセット８、１０の遊星キャリア１４、リングギヤ１６、第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８と遊星キャリア３４を出力要素として作用させた。
前記構成により第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８、１０の遊星キャリア１４とリングギヤ１６、第４作動要素Ｄが第２単純遊星ギヤセット１０の遊星キャリア１８で設定される４つの作動要素を保有する。
そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ３８で設定される４つの作動要素を保有するようになる。
【０１７７】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０１７８】
［第６７実施例］
図７２は本発明による第６７実施例を図示したもので、これは前記第６６実施例に於いて第２遊星ギヤセット６を組合する時、第３単純遊星ギヤセット２４の太陽ギヤ２８と遊星キャリア３６を第４単純遊星ギヤセット２６の太陽ギヤ２８とリングギヤ３２に各々固定連結して組合した。
そして前記第３、４単純遊星ギヤセット２４、２６のリングギヤ３６、３２をを第２単純遊星ギヤセット１０の遊星キャリア１８に固定連結し、第３、４単純遊星ギヤセット２６の太陽ギヤ２８、３８と、第４単純遊星ギヤセット２６の遊星キャリア３０各々に第１、２クラッチ４２、４４を介在して相互固定連結されている第１、２単純遊星ギヤセット８、１０のリングギヤ２２と太陽ギヤ２０に可変的に連結した。
また、第４単純遊星ギヤセット２６の遊星キャリア３４を変速機ハウジング４６との間に第２ブレーキ５０に介在、連結して選択的な反力要素として作用させ、第３、４単純遊星ギヤセット２４、２６の太陽ギヤ２８、３８を出力要素として作用させた。
【０１７９】
前記構成により第２遊星ギヤセット６は第１作動要素Ｇが第３、４単純遊星ギヤセット２４、２６の太陽ギヤ２８、３８、第２作動要素Ｈが第３単純遊星ギヤセット２４の遊星キャリア３０、第３作動要素Ｉが第３、４単純遊星ギヤセット２４、２６のリングギヤ３６、３２、第４作動要素Ｄが第４単純遊星ギヤセット２６の遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１８０】
［第６８実施例］
図７３は本発明による第６８実施例を図示したもので、これは前記第６６実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６のリングギヤ３６、３２をを第２単純遊星ギヤセット１０の遊星キャリア１８に固定連結し、第３単純遊星ギヤセット２４の太陽ギヤ２８、第３、４単純遊星ギヤセット２４、２６の遊星キャリア３０、３４各々に第１、２クラッチ４２、４４を介在して相互固定連結されている第１、２単純遊星ギヤセット８、１０のリングギヤ２２と太陽ギヤ２０に可変的に連結した。
また、第４単純遊星ギヤセット２６の遊星キャリア３８を変速機ハウジング４６との間に第２ブレーキ５０に介在、連結して選択的な反力要素として作用させ、第３単純遊星ギヤセット２４の太陽ギヤ２８を出力要素として作用させた。
【０１８１】
前記構成により第２遊星ギヤセット６は第１作動要素Ｇが第３単純遊星ギヤセット２４の太陽ギヤ２８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第４単純遊星ギヤセット２６の太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１８２】
［第６９実施例］
図７４は本発明による第６９実施例を図示したもので、これは前記第６６実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２をを第２単純遊星ギヤセット１０の遊星キャリア１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０１８３】
前記構成により第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。そしてこれら作動は第２遊星ギヤセット６の各作動要素を構成する部品だけ第１実施例と異なるだけで各変速段で同一作動要素の作動により変速が行われるようが、その詳しい説明は省略する。
【０１８４】
［第７０実施例］
図７５は本発明による第７０実施例を図示したもので、前記第６２実施例に於いて、第１遊星ギヤセット４は第１単純遊星ギヤセット８の太陽ギヤ１２と遊星キャリア１４を第２単純遊星ギヤセット１０のリングギヤ１６と遊星キャリア１８に各々固定的に連結して組合した。
そして第２遊星ギヤセット６は第３単純遊星ギヤセット２４の太陽ギヤ２８と遊星キャリア３０と第４単純遊星ギヤセット２６の遊星キャリア３４とリングギヤ３２に各々固定的に連結した。
前記第１、２遊星ギヤセット４、６を組合することに於いては第１、２単純遊星ギヤセット８、１０の遊星キャリア１４、１８を第３単純遊星ギヤセット２４のリングギヤ３６に固定的に連結し、第１、２単純遊星ギヤセット８、１０の太陽ギヤ１２とリングギヤ１６を第３、４単純遊星ギヤセット２４、２６の太陽ギヤ２８と遊星キャリア３４、第３、４単純遊星ギヤセット２４、２６の遊星キャリア３０とリングギヤ３２に可変的に連結させた。
【０１８５】
そして前記可変連結部位には第１、２クラッチ４２、４４が介在されて選択的に動力伝達をし、前記第１単純遊星ギヤセット８のリングギヤ２２、第４単純遊星ギヤセット２８の太陽ギヤ３８が各々第１、２ブレーキ４８、５０を介在して変速機ハウジング４６に連結させ、前記第３、４単純遊星ギヤセット２４、２６の太陽ギヤ２８と遊星キャリア３４を出力要素として作用させた。た。
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８のリングギヤ２２、第４作動要素Ｄが第１、２単純遊星ギヤセット８、１０の遊星キャリア１４、１８で設定される４つの作動要素を保有する。
【０１８６】
そして前記第２遊星ギヤセット６は第１作動要素Ｇが第３、４単純遊星ギヤセット２４の太陽ギヤ２８と遊星キャリア３４、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０１８７】
［第７１実施例］
図７６は本発明による第７１実施例を図示したもので、これは前記第７０実施例に於いて第２遊星ギヤセット６を組合する時、第３単純遊星ギヤセット２４の太陽ギヤ２８とリングギヤ３６を第４単純遊星ギヤセット２６の太陽ギヤ２８とリングギヤ３２に各々固定連結して組合した。
そして前記第３単純遊星ギヤセット２４の遊星キャリア３０を第１、２単純遊星ギヤセット８、１０の遊星キャリア１４、１８に固定連結し、第４単純遊星ギヤセット２６の遊星太陽ギヤ３４と、第３、４単純遊星ギヤセット２６のリングギヤ３６、３２各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の太陽ギヤ３８を出力要素として作用させた。
【０１８８】
前記構成により第２遊星ギヤセット６は第１作動要素Ｇが第４単純遊星ギヤセット２６の遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１８９】
［第７２実施例］
図７７は本発明による第７２実施例を図示したもので、これは前記第７０実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６の遊星キャリア３０、３４を第１、２単純遊星ギヤセット８、１０の遊星キャリア１４、１８に固定連結し、第４単純遊星ギヤセット２６の太陽ギヤ３８と、第３、４単純遊星ギヤセット２６のリングギヤ３６、３２各々に第１、２クラッチ４２、４４を介在して相互固定連結されている第１、２単純遊星ギヤセット８、１０の太陽ギヤ１２とリングギヤ１６に可変的に連結した。
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
【０１９０】
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６、３２、第３作動要素Ｉが第３、４単純遊星ギヤセット２４、２６の遊星キャリア３０、３４、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１９１】
［第７３実施例］
図７８は本発明による第７３実施例を図示したもので、これは前記第７０実施例に於いて第２遊星ギヤセット６を組合する時、第３単純遊星ギヤセット２４の太陽ギヤ２８と遊星キャリア３０を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第１、２単純遊星ギヤセット８、１０の遊星キャリア１４、１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０１９２】
前記構成により第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１９３】
［第７４実施例］
図７９は本発明による第７４実施例を図示したもので、これは前記第１実施例に於いて、第１遊星ギヤセット４はダブルピニオン遊星ギヤセットよりなる第１、２単純遊星ギヤセット８、１０の組合で形成し、第２遊星ギヤセット６はダブルピニオン遊星ギヤセットである第３単純遊星ギヤセット２４とシングルピニオン遊星ギヤセットである第４単純遊星ギヤセット２６の組合で形成した。
前記で第１遊星ギヤセット４は第１単純遊星ギヤセット８の太陽ギヤ１２とリングギヤ２２を第２単純遊星ギヤセット１０の太陽ギヤ２０とリングギヤ１６に各々固定的に連結、組合した。前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
【０１９４】
そして前記第１、２遊星ギヤセット４、６を組合することに於いては第２単純遊星ギヤセット１０の遊星キャリア１８を第３、４単純遊星ギヤセット２４のリングギヤ３６、３２に固定的に連結し、第１、２単純遊星ギヤセット８、１０のリングギヤ２２、１６を第４単純遊星ギヤセット２６の太陽ギヤ３８と、第３、４単純遊星ギヤセット２４、２６の遊星キャリア３０、３４に可変的な連結を行わせた。
前記可変連結部位には第１、２クラッチ４２、４４が介在されて選択的に動力伝達が行われるようにし、前記第１単純遊星ギヤセット８の遊星キャリア１４と、第３単純遊星ギヤセット２４の太陽ギヤ２８が各々第１、２ブレーキ４８、５０を介在させて変速機ハウジング４６に連結させ、前記第４単純遊星ギヤセット２６の太陽ギヤ３８を出力要素として作用させた。前記のような構成により第１遊星ギヤセット４は第１作動要素Ａが第１、２単純遊星ギヤセット８、１０の太陽ギヤ１２、２０、第２作動要素Ｂが第１、２単純遊星ギヤセット８、１０のリングギヤ２２、１６、第３作動要素Ｃが第１単純遊星ギヤセット８の遊星キャリア１４、第４作動要素Ｄが第２単純遊星ギヤセット１０の遊星キャリア１８で設定される４つの作動要素を保有する。
【０１９５】
そして前記第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第３単純遊星ギヤセット２８で設定される４つの作動要素を保有するようになる。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０１９６】
［第７５実施例］
図８０は本発明による第７５実施例を図示したもので、これは第７４実施例に於いて、第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３単純遊星ギヤセット２４のリングギヤ３６を第２単純遊星ギヤセット１０の遊星キャリア１８に固定連結し、第４単純遊星ギヤセット２６のリングギヤ３２と、第３、４単純遊星ギヤセット２４、２６の遊星キャリア３０、３４各々に第１、２クラッチ４２、４４を介在して相互固定連結されている第１、２単純遊星ギヤセット８、１０の太陽ギヤ１２とリングギヤ２２、１６に可変的に連結した。
また、第３、４単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
【０１９７】
前記構成により第２遊星ギヤセット６は第１作動要素Ｇが第４単純遊星ギヤセット２６のリングギヤ３２、第２作動要素Ｈが第３、４単純遊星ギヤセット２４、２６の遊星キャリア３０、３４、第３作動要素Ｉが第３単純遊星ギヤセット２４のリングギヤ３２、第４作動要素Ｄが第３、４単純遊星ギヤセット２４、２６の太陽ギヤ２８、３８で設定される４つの作動要素を保有する。かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０１９８】
［第７６実施例］
図８１は本発明による第７６実施例を図示したもので、これは前記第７４実施例に於いて第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４、２６の遊星キャリア３０、３４を第２単純遊星ギヤセット１０の遊星キャリア１８に固定連結し、第３単純遊星ギヤセット２４の太陽ギヤ２８と、第３、４単純遊星ギヤセット２４、２６のリングギヤ３６、３２各々に第１、２単純遊星ギヤセット８、１０のリング３６、３４に可変的に連結した。
前記可変連結部位には第１、２クラッチ４２、４４が介在されて選択的に動力伝達が行われるようにし、前記第１単純遊星ギヤセット８、１０の遊星キャリア１４とリングギヤ１６、第４単純遊星ギヤセット２６の太陽ギヤ３８が各々第１、２ブレーキ４８、５０を介在させて変速機ハウジング４６に連結させ、前記第３単純遊星ギヤセット２４の太陽ギヤ２８を出力要素として作用させた。
【０１９９】
前記のような構成により第２遊星ギヤセット６は第１作動要素Ｇが第３単純遊星ギヤセット２４の太陽ギヤ２８、第２作動要素Ｈが第３、４単純遊星ギヤセット２４、２６のリングギヤ３６、３２、第３作動要素Ｉが第３、４単純遊星ギヤセット２４の遊星キャリア３０、３４、第４作動要素Ｄが第４単純遊星ギヤセット２６の太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２００】
［第７７実施例］
図８２は本発明による第７７実施例を図示したもので、これは第７４実施例に於いて第１遊星ギヤセット６を組合する時、第１単純遊星ギヤセット８の太陽ギヤ１２と遊星キャリア１４を第２単純遊星ギヤセット１０のリングギヤ１６と遊星キャリア１８に各々固定連結して組合した。
前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
そして前記第１、２単純遊星ギヤセット４、６を組合することに於いては第１、２単純遊星ギヤセット８、１０の遊星キャリア１４、１８を第３、４単純遊星ギヤセット２４のリングギヤ３６、３２固定連結し、第１、２単純遊星ギヤセット８、１０の太陽ギヤ１２とリングギヤ１６を第４単純遊星ギヤセット２６の太陽ギヤ３８と、第３、４単純遊星ギヤセット２４、２６の遊星キャリア３０、３４に可変的な連結をした。
前記可変連結部位には第１、２クラッチ４２、４４が介在されて選択的に動力伝達をし、前記第１単純遊星ギヤセット８のリングギヤ２２、第３単純遊星ギヤセット２４の太陽ギヤ２８が各々第１、２ブレーキ４８、５０を介在して変速機ハウジング４６に連結させ、前記第４単純遊星ギヤセット２６の太陽ギヤ３８を出力要素として作用させた。た。
【０２０１】
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８のリングギヤ２２、第４作動要素Ｄが第１、２単純遊星ギヤセット８、１０の遊星キャリア１４、１８で設定される４つの作動要素を保有する。
そして前記第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第３単純遊星ギヤセット２４の太陽ギヤ２８で設定される４つの作動要素を保有する。
【０２０２】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０２０３】
［第７８実施例］
図８３は本発明による第７８実施例を図示したもので、これは前記第７８実施例に於いて、第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３単純遊星ギヤセット２４のリングギヤ３６を第１、２単純遊星ギヤセット８、１０の遊星キャリア１４、１８に固定連結し、第４単純遊星ギヤセット２６の太陽ギヤ３８と、第３、４単純遊星ギヤセット２４の遊星キャリア３０、３４各々に第１、２クラッチ４２、４４を介在して相互固定連結されている第１、２単純遊星ギヤセット８、１０の太陽ギヤ１２とリングギヤ３２に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６のリングギヤ３２を出力要素として作用させた。
【０２０４】
前記構成により第２遊星ギヤセット６は第１作動要素Ｇが第４単純遊星ギヤセット２６のリングギヤ３２、第２作動要素Ｈが第３、４単純遊星ギヤセット２４、２６の遊星キャリア３０、３４、第３作動要素Ｉが第３単純遊星ギヤセット２４のリングギヤ３２、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２０５】
［第７９実施例］
図８４は本発明による第７９実施例を図示したもので、これは前記第１実施例に於いて、第１遊星ギヤセット４はダブルピニオン遊星ギヤセットである第１、２単純遊星ギヤセット８、１０の組合で形成し、第２遊星ギヤセット６はシングルピニオン遊星ギヤセットである第３、４単純遊星ギヤセット２４、２６の組合で形成した。
前記で第１遊星ギヤセット４は第１単純遊星ギヤセット８の太陽ギヤ１２とリングギヤ２２を第２単純遊星ギヤセット１０の太陽ギヤ１２とリングギヤ１６に各々固定的に連結、組合した。
前記第２遊星ギヤセット６は第３単純遊星ギヤセット２４の太陽ギヤ２８と遊星キャリア３０を第４単純遊星ギヤセット２６のリングギヤ３２と遊星キャリア３４に各々固定的に連結した。
そして前記第１、２遊星ギヤセット４、６を組合することに於いては第２単純遊星ギヤセット１０の遊星キャリア１８を第３単純遊星ギヤセット２４のリングギヤ３６に固定的に連結し、第１、２単純遊星ギヤセット８、１０のリングギヤ２２、１６を第３、４単純遊星ギヤセット２４、２６の太陽ギヤ２８とリングギヤ３２、第３、４単純遊星ギヤセット２４、２６の遊星キャリア３０、３４に可変的な連結を行わせた。
【０２０６】
前記可変連結部位には第１、２クラッチ４２、４４が介在されて選択的に動力伝達が行われるようにし、前記第１単純遊星ギヤセット８の遊星キャリア１４、第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８とリングギヤ３２を出力要素として作用させた。
前記のような構成により第１遊星ギヤセット４は第１作動要素Ａが第１、２単純遊星ギヤセット８、１０の太陽ギヤ１２、２０、第２作動要素Ｂが第１、２単純遊星ギヤセット８、１０のリングギヤ２２、１６、第３作動要素Ｃが第１単純遊星ギヤセット８の遊星キャリア１４、第４作動要素Ｄが第２単純遊星ギヤセット１０の遊星キャリア１８で設定される４つの作動要素を保有する。
そして前記第２遊星ギヤセット６は第１作動要素Ｇが第３、４単純遊星ギヤセット２４の太陽ギヤ２８とリングギヤ３２、第２作動要素Ｈが第３、４単純遊星ギヤセット２４、２６の遊星キャリア３０、３４、第３作動要素Ｉが第３単純遊星ギヤセット２４のリングギヤ３６、第４作動要素Ｄが第４単純遊星ギヤセット２６の太陽ギヤ３８で設定される４つの作動要素を保有するようになる。
【０２０７】
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０２０８】
［第８０実施例］
図８５は本発明による第８０実施例を図示したもので、これは前記第７９実施例に於いて、第２遊星ギヤセット６を組合する時、第３単純遊星ギヤセット２４の太陽ギヤ２８とリングギヤ３６を第４単純遊星ギヤセット２６の太陽ギヤ２８と遊星キャリア３４に各々固定連結して組合した。
そして前記第３単純遊星ギヤセット２４の遊星キャリア３０を第２単純遊星ギヤセット１０の遊星キャリア１８に固定連結し、第４単純遊星ギヤセット２６のリングギヤ３２と、第３、４単純遊星ギヤセット２４、２６のリングギヤ３６と遊星キャリア３４各々に第１、２クラッチ４２、４４を介在して相互固定連結されている第１、２単純遊星ギヤセット８、１０のリングギヤ２２、１６に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の遊星キャリア３４を出力要素として作用させた。
【０２０９】
前記構成により第２遊星ギヤセット６は第１作動要素Ｇが第４単純遊星ギヤセット２６のリングギヤ３２、第２作動要素Ｈが第３、４単純遊星ギヤセット２４、２６のリングギヤ３６と遊星キャリア３４、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２１０】
［第８１実施例］
図８６は本発明による第８１実施例を図示したもので、これは前記第７９実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結して組合した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３、４単純遊星ギヤセット２４、２６のリングギヤ３６と遊星キャリア３４各々に第１、２クラッチ４２、４４を介在して相互固定連結されている第１、２単純遊星ギヤセット８、１０のリングギヤ２２、１６に可変的に連結した。
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
【０２１１】
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６と遊星キャリア３４、第３作動要素Ｉが第３、４単純遊星ギヤセット２４、２６の遊星キャリア３０とリングギヤ３２、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２１２】
［第８２実施例］
図８７は本発明による第８２実施例を図示したもので、これは前記第７９実施例に於いて、第１遊星ギヤセット４を組合する時、第１単純遊星ギヤセット８の遊星キャリア１４とリングギヤ２２を第２単純遊星ギヤセット１０のリングギヤ１６と太陽ギヤ２０に各々固定連結して組合した。
前記第２遊星ギヤセット６は第３単純遊星ギヤセット２４の遊星キャリア３０を第４単純遊星ギヤセット２６の遊星キャリア３４とリングギヤ３２に各々固定的に連結した。
そして前記第１、２単純遊星ギヤセット４、６を組合することに於いては第２単純遊星ギヤセット１０の遊星キャリア１８を第３単純遊星ギヤセット２４のリングギヤ３６固定連結し、第１、２単純遊星ギヤセット８、１０のリングギヤ２２と太陽ギヤ２０を第３、４単純遊星ギヤセット２４、２６の太陽ギヤ２８とリングギヤ３２、第３、４単純遊星ギヤセット２４、２６の遊星キャリア３０、３４に可変的な連結をした。
【０２１３】
前記可変連結部位には第１、２クラッチ４２、４４が介在されて選択的に動力伝達をし、前記第１、２単純遊星ギヤセット８の遊星キャリア１４とリングギヤ１６、第４単純遊星ギヤセット２６の太陽ギヤ３８が各々第１、２ブレーキ４８、５０を介在して変速機ハウジング４６に連結させ、前記第３、４単純遊星ギヤセット２４、２６の太陽ギヤ２８とリングギヤ３２を出力要素として作用させた。た。
前記構成によって第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１単純遊星ギヤセット８の遊星キャリア１４とリングギヤ１６、第４作動要素Ｄが第２単純遊星ギヤセット１０の遊星キャリア１８で設定される４つの作動要素を保有する。
【０２１４】
そして前記第２遊星ギヤセット６は第１作動要素Ｇが第３、４単純遊星ギヤセット２４の太陽ギヤ２８とリングギヤ３２、第２作動要素Ｈが第３、４単純遊星ギヤセット２４、２６の遊星キャリア３０、３４、第３作動要素Ｉが第３単純遊星ギヤセット２４のリングギヤ３６、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０２１５】
［第８３実施例］
図８８は本発明による第８３実施例を図示したもので、これは前記第８２実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結して組合した。
そして前記第３、４単純遊星ギヤセット２４、２６の遊星キャリア３０とリングギヤ３２を第２単純遊星ギヤセット１０の遊星キャリア１８に固定連結し、第３単純遊星ギヤセット２４の太陽ギヤ２８と、第３、４単純遊星ギヤセット２６のリングギヤ３６と遊星キャリア３４各々に第１、２クラッチ４２、４４を介在して相互固定連結されている第１、２単純遊星ギヤセット８、１０のリングギヤ２２と太陽ギヤ２０に可変的に連結した。
【０２１６】
また、第４単純遊星ギヤセット２６の太陽ギヤ３８を変速機ハウジング４６との間に第２ブレーキ５０に介在、連結して選択的な反力要素として作用させ、第３単純遊星ギヤセット２４の太陽ギヤ３８を出力要素として作用させた。
前記構成により第２遊星ギヤセット６は第１作動要素Ｇが第３単純遊星ギヤセット２４の太陽ギヤ３８、第２作動要素Ｈが第３、４単純遊星ギヤセット２４、２６のリングギヤ３６と遊星キャリア３４、第３作動要素Ｉが第３、４単純遊星ギヤセット２４、２６の遊星キャリア３０、３４、第４作動要素Ｄが第４単純遊星ギヤセット２６の太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２１７】
［第８４実施例］
図８９は本発明による第８４実施例を図示したもので、これは前記第７９実施例に於いて、第１遊星ギヤセット４を組合する時、第１単純遊星ギヤセット８の太陽ギヤ１２と遊星キャリア１８を第２単純遊星ギヤセット１０のリングギヤ１６と遊星キャリア１８に各々固定連結して組合した。
前記第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２単純遊星ギヤセット４、６を組合することに於いては第１、２単純遊星ギヤセット８、１０の遊星キャリア１４、１８を第３単純遊星ギヤセット２４のリングギヤ３６に固定連結し、第１、２単純遊星ギヤセット８、１０の太陽ギヤ１２とリングギヤ１６を第３、４単純遊星ギヤセット２４、２６の太陽ギヤ２８とリングギヤ３２、第３、４単純遊星ギヤセット２４、２６の遊星キャリア３０、３４に可変的な連結をした。
【０２１８】
前記可変連結部位には第１、２クラッチ４２、４４が介在されて選択的に動力伝達をし、前記第１単純遊星ギヤセット８のリングギヤ２２と、第４単純遊星ギヤセット２６の太陽ギヤ３８が各々第１、２ブレーキ４８、５０を介在して変速機ハウジング４６に連結させ、前記第３、４単純遊星ギヤセット２６の太陽ギヤ２８とリングギヤ３２を出力要素として作用させた。
前記構成によって第１遊星ギヤセット４は第１作動要素Ａが第２単純遊星ギヤセット１０の太陽ギヤ２０、第２作動要素Ｂが第１、２単純遊星ギヤセット８、１０の太陽ギヤ１２とリングギヤ１６、第３作動要素Ｃが第１単純遊星ギヤセット８のリングギヤ２２、第４作動要素Ｄが第１、２単純遊星ギヤセット８、１０の遊星キャリア１４、１８で設定される４つの作動要素を保有する。
【０２１９】
そして前記第２遊星ギヤセット６は第１作動要素Ｇが第３、４単純遊星ギヤセット２４の太陽ギヤ２８とリングギヤ３２、第２作動要素Ｈが第３、４単純遊星ギヤセット２４、２６の遊星キャリア３０、３４、第３作動要素Ｉが第３単純遊星ギヤセット２４のリングギヤ３６、第４作動要素Ｄが第４単純遊星ギヤセット２６の太陽ギヤ３８で設定される４つの作動要素を保有する。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
従って第１遊星ギヤセット４の第１作動要素Ａに入力され、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品だけ第１実施例と異なるだけで各変速段で同一作動要素の作動により変速が行われるようが、その詳しい説明は省略する。
【０２２０】
［第８５実施例］
図９０は本発明による第８５実施例を図示したもので、これは前記第８４実施例に於いて、第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３、４単純遊星ギヤセット２４、２６の遊星キャリア３０、３４を第１、２単純遊星ギヤセット８、１０の遊星キャリア１４、１８に固定連結し、第３単純遊星ギヤセット２４のリングギヤ３６と、第４単純遊星ギヤセット２６のリングギヤ３２各々に第１、２クラッチ４２、４４を介在して相互固定連結されている第１、２単純遊星ギヤセット８、１０の太陽ギヤ１２とリングギヤ１６に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６のリングギヤ３２を出力要素として作用させた。
【０２２１】
前記構成により第２遊星ギヤセット６は第１作動要素Ｇが第３単純遊星ギヤセット２４の太陽ギヤ２８、第２作動要素Ｈが第４単純遊星ギヤセット２６のリングギヤ３２、第３作動要素Ｉが第３、４単純遊星ギヤセット２４、２６の遊星キャリア３０、３４、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２２２】
［第８６実施例］
図９１は本発明による第８６実施例を図示したもので、これは前記第８４実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定連結して組合した。
そして前記第３、４単純遊星ギヤセット２４、２６のリングギヤ３６と遊星キャリア３４を第１、２単純遊星ギヤセット８、１０の遊星キャリア１４、１８に固定連結し、第３単純遊星ギヤセット２４の太陽ギヤ２８と、第３、４単純遊星ギヤセット２４、２６のリングギヤ３６と遊星キャリア３０各々に第１、２クラッチ４２、４４を介在して相互固定連結されている第１、２単純遊星ギヤセット８、１０の遊星キャリア１４、１８に可変的に連結した。
また、第３単純遊星ギヤセット２４の太陽ギヤ２８を変速機ハウジング４６との間に第２ブレーキ５０に介在、連結して選択的な反力要素として作用させ、第４単純遊星ギヤセット２６のリングギヤ２８を出力要素として作用させた。
【０２２３】
前記構成により第２遊星ギヤセット６は第１作動要素Ｇが第３単純遊星ギヤセット２４の太陽ギヤ２８、第２作動要素Ｈが第４単純遊星ギヤセット２６の遊星キャリア３０とリングギヤ３４、第３作動要素Ｉが第３、４単純遊星ギヤセット２４、２６のリングギヤ３６と遊星キャリア３４、第４作動要素Ｄが第４単純遊星ギヤセット２６の太陽ギヤ３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２２４】
［第８７実施例］
図９２は本発明による第８７実施例を図示したもので、これは前記第１実施例に於いて、第１遊星ギヤセット４はダブルピニオン遊星ギヤセットよりなる第１単純遊星ギヤセット８と、シングルピニオン遊星ギヤセットよりなる第２単純遊星ギヤセット６の組合で形成し、第２遊星ギヤセット６はダブルピニオン遊星ギヤセットである第３単純遊星ギヤセット２４とシングルピニオン遊星ギヤセットである第４単純遊星ギヤセット２６の組合で形成した。
前記で第１遊星ギヤセット４は第１単純遊星ギヤセット８の遊星キャリア１４とリングギヤ２２を第２単純遊星ギヤセット１０の遊星キャリア１８と太陽ギヤ２０に各々固定的に連結、組合した。
前記第２遊星ギヤセット６は第３単純遊星ギヤセット２４の遊星キャリア３０とリングギヤ３６を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０のリングギヤ１６を第３、４単純遊星ギヤセット２４のリングギヤ３６、３２に固定的に連結し、第１、２単純遊星ギヤセット８、１０の太陽ギヤ１２とリングギヤ１６を第４単純遊星ギヤセット２６の太陽ギヤ３８と、第３、４単純遊星ギヤセット２４、２６の遊星キャリア３０、３４に可変的な連結を行わせた。
【０２２５】
前記可変連結部位には第１、２クラッチ４２、４４が介在されて選択的に動力伝達が行われるようにし、前記第１、２単純遊星ギヤセット８、１０の遊星キャリア１４、１８と、第４単純遊星ギヤセット２６の太陽ギヤ３８が各々第１、２ブレーキ４８、５０を介在させて変速機ハウジング４６に連結させ、前記第４単純遊星ギヤセット２６の太陽ギヤ３８を出力要素として作用させた。
前記のような構成により第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８、１０の遊星キャリア１４、１８、第４作動要素Ｄが第２単純遊星ギヤセット１０のリングギヤ１６で設定される４つの作動要素を保有する。
そして前記第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第３単純遊星ギヤセット２４の太陽ギヤ２８で設定される４つの作動要素を保有するようになる。
【０２２６】
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０２２７】
［第８８実施例］
図９３は本発明による第８８実施例を図示したもので、これは前記第８７実施例に於いて、第２遊星ギヤセット６を組合する時、第３単純遊星ギヤセット２４の太陽ギヤ２８と遊星キャリア３０を第４単純遊星ギヤセット２６の太陽ギヤ３８と遊星キャリア３４に各々固定連結して組合した。
そして前記第３単純遊星ギヤセット２４のリングギヤ３６を第２単純遊星ギヤセット１０のリングギヤ３６に固定連結し、第４単純遊星ギヤセット２６のリングギヤ３２と、第３、４単純遊星ギヤセット２４、２６の遊星キャリア３０、３４各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６のリングギヤ３２を出力要素として作用させた。
【０２２８】
前記構成により第２遊星ギヤセット６は第１作動要素Ｇが第４単純遊星ギヤセット２６のリングギヤ３２、第２作動要素Ｈが第３、４単純遊星ギヤセット２４、２６の遊星キャリア３０、３４、第３作動要素Ｉが第３単純遊星ギヤセット２４のリングギヤ３２、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２２９】
［第８９実施例］
図９４は本発明による第８９実施例を図示したもので、これは第１遊星ギヤセット４をダブルピニオン遊星ギヤセットである第１単純遊星ギヤセット６と、シングルピニオン遊星ギヤセットである第２単純遊星ギヤセット８の組合で形成し、第２遊星ギヤセット６をシングルピニオン遊星ギヤセットである第１単純遊星ギヤセット６と、ダブルピニオン遊星ギヤセットである第２単純遊星ギヤセット８の組合で形成した。
前記で第１遊星ギヤセット４は第１単純遊星ギヤセット８の遊星キャリア１４とリングギヤ２２を第２単純遊星ギヤセット１０の遊星キャリア１８と太陽ギヤ２０に各々固定的に連結、組合した。
前記第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０のリングギヤ１６を第３単純遊星ギヤセット２４のリングギヤ３６に固定的に連結し、第１、２単純遊星ギヤセット８、１０のリングギヤ２２と太陽ギヤ２０を第３、４単純遊星ギヤセット２４、２６の太陽ギヤ２８と遊星キャリア３４、第３、４単純遊星ギヤセット２４、２６の遊星キャリア３０とリングギヤ３２に可変的な連結を行わせた。
前記可変連結部位には第１、２クラッチ４２、４４が介在されて選択的に動力伝達が行われるようにし、前記第１、２単純遊星ギヤセット８、１０の遊星キャリア１４、１８と、前記第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８と遊星キャリア３４を出力要素として作用させた。
【０２３０】
前記のような構成により第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８、１０の遊星キャリア１４、１８、第４作動要素Ｄが第２単純遊星ギヤセット１０のリングギヤ１６で設定される４つの作動要素を保有する。
そして前記第２遊星ギヤセット６は第１作動要素Ｇが第３、４単純遊星ギヤセット２４、２６の太陽ギヤ３８、第２作動要素Ｈが第３、４単純遊星ギヤセット２４、２６の遊星キャリア３０とリングギヤ３２、第３作動要素Ｉが第３単純遊星ギヤセット２４のリングギヤ３６、第４作動要素Ｄが第４単純遊星ギヤセット２６の太陽ギヤ３８で設定される４つの作動要素を保有するようになる。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０２３１】
［第９０実施例］
図９５は本発明による第９０実施例を図示したもので、これは前記第８９実施例に於いて、第２遊星ギヤセット６を組合する時、第３単純遊星ギヤセット２４の遊星キャリア３０とリングギヤ３６を第４単純遊星ギヤセット２６の遊星キャリア３４とリングギヤ３２に各々固定連結して組合した。
そして前記第３、４単純遊星ギヤセット２４のリングギヤ３６、３２を第２単純遊星ギヤセット１０のリングギヤ１６に固定連結し、第４単純遊星ギヤセット２６の太陽ギヤ３８と、第３、４単純遊星ギヤセット２４、２６の遊星キャリア３０、３４各々に第１、２クラッチ４２、４４を介在して相互固定連結されている第１、２単純遊星ギヤセット８、１０のリングギヤ２２と太陽ギヤ２０に可変的に連結した。
【０２３２】
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
前記構成により第２遊星ギヤセット６は第１作動要素Ｇが第４単純遊星ギヤセット２６の太陽ギヤ３８、第２作動要素Ｈが第３、４単純遊星ギヤセット２４、２６の遊星キャリア３０、３４、第３作動要素Ｉが第３、４単純遊星ギヤセット２４、２６のリングギヤ３６、３２、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２３３】
［第９１実施例］
図９６は本発明による第９１実施例を図示したもので、これは前記第８９実施例に於いて、第２遊星ギヤセット６を組合する時、第３単純遊星ギヤセット２４の太陽ギヤ２８とリングギヤ３６を第４単純遊星ギヤセット２６の太陽ギヤ３８とリングギヤ３２に各々固定連結して組合した。
そして前記第３単純遊星ギヤセット２４の遊星キャリア３０を第２単純遊星ギヤセット１０の遊星キャリア１８に固定連結し、第４単純遊星ギヤセット２６の太陽ギヤ３４と、第３、４単純遊星ギヤセット２４、２６のリングギヤ３６、３２各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第４単純遊星ギヤセット２６の遊星キャリア３４を出力要素として作用させた。
【０２３４】
前記構成により第２遊星ギヤセット６は第１作動要素Ｇが第４単純遊星ギヤセット２６の遊星キャリア３４、第２作動要素Ｈが第３、４単純遊星ギヤセット２４、２６のリングギヤ３６、３２、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２３５】
［第９２実施例］
図９７は本発明による第９２実施例を図示したもので、これは前記第８９実施例に於いて、第２遊星ギヤセット６を組合する時、第３単純遊星ギヤセット２４の太陽ギヤ２８と遊星キャリア３４を第４単純遊星ギヤセット２６の遊星キャリア３４とリングギヤ３２に各々固定連結して組合した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３単純遊星ギヤセット２４のリングギヤ３６各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の太陽ギヤ２８と遊星キャリア３４を変速機ハウジング４６との間に第２ブレーキ５０に介在、連結して選択的な反力要素として作用させ、第４単純遊星ギヤセット２６の太陽ギヤ３８を出力要素として作用させた。
【０２３６】
前記構成により第２遊星ギヤセット６は第１作動要素Ｇが第４単純遊星ギヤセット２６の太陽ギヤ３８、第２作動要素Ｈが第３単純遊星ギヤセット２４のリングギヤ３６、第３作動要素Ｉが第３、４単純遊星ギヤセット２４、２６の遊星キャリア３０とリングギヤ３２、第４作動要素Ｄが第３、４単純遊星ギヤセット２４、２６の太陽ギヤ２８と遊星キャリア３４で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２３７】
［第９３実施例］
図９８は本発明による第９３実施例を図示したもので、これは第１実施例に於いて、第１遊星ギヤセット４はダブルピニオン遊星ギヤセットよりなる第１単純遊星ギヤセット６と、シングルピニオン遊星ギヤセットよりなる第２単純遊星ギヤセット８の組合で形成し、第２遊星ギヤセット６はシングルピニオン遊星ギヤセットよりなる第３、４単純遊星ギヤセット８、１０の組合で形成した。
前記で第１遊星ギヤセット４は第１単純遊星ギヤセット８の遊星キャリア１４とリングギヤ２２を第２単純遊星ギヤセット１０の遊星キャリアと太陽ギヤ２０に各々固定的に連結、組合した。
前記第２遊星ギヤセット６は第３単純遊星ギヤセット２４の太陽ギヤ２８と遊星キャリア３０を第４単純遊星ギヤセット２６の遊星キャリア３４とリングギヤ３２に各々固定的に連結した。
そして前記第１、２遊星ギヤセット４、６を組合することに於いては第２単純遊星ギヤセット１０の遊星キャリア１８を第４単純遊星ギヤセット２６のリングギヤ３２に固定的に連結し、第１、２単純遊星ギヤセット８、１０のリングギヤ２２と太陽ギヤ２０を第３、４単純遊星ギヤセット２４、２６の太陽ギヤ２８とリングギヤ３２、第３、４単純遊星ギヤセット２４、２６の遊星キャリア３０、３４に可変的な連結を行わせた。
前記可変連結部位には第１、２クラッチ４２、４４が介在されて選択的に動力伝達が行われるようにし、前記第１、２単純遊星ギヤセット８、１０の遊星キャリア１４、１８と、前記第４単純遊星ギヤセット２６の太陽ギヤ３８が各々第１、２ブレーキ４８、５０を介在させて変速機ハウジング４６に連結させ、前記第３、４単純遊星ギヤセット２４、２６の太陽ギヤ２８とリングギヤ３２を出力要素として作用させた。
【０２３８】
前記のような構成により第１遊星ギヤセット４は第１作動要素Ａが第１単純遊星ギヤセット８の太陽ギヤ１２、第２作動要素Ｂが第１、２単純遊星ギヤセット８、１０のリングギヤ２２と太陽ギヤ２０、第３作動要素Ｃが第１、２単純遊星ギヤセット８の遊星キャリア１４、１８、第４作動要素Ｄが第２単純遊星ギヤセット１０のリングギヤ１６で設定される４つの作動要素を保有する。
そして前記第２遊星ギヤセット６は第１作動要素Ｇが第３、４単純遊星ギヤセット２４の太陽ギヤ２８とリングギヤ３２、第２作動要素Ｈが第３、４単純遊星ギヤセット２４、２６の遊星キャリア３０、３４、第３作動要素Ｉが第３単純遊星ギヤセット２４のリングギヤ３６、第４作動要素Ｄが第４単純遊星ギヤセット２６の太陽ギヤ３８で設定される４つの作動要素を保有するようになる。
このように構成される第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａで入力が行われ、第１遊星ギヤセット４の第３作動要素Ｃと第２遊星ギヤセット６の第４作動要素Ｊが選択的な反力要素で作用し、第２遊星ギヤセット６の第１作動要素Ｇを通じて出力が行われる。
そしてこれら作動は各作動要素を構成する部品が第１実施例と異なるだけで、各変速段で同一な作動要素の作動で変速が行われるようになるが、その詳しい説明は省略する。
【０２３９】
［第９４実施例］
図９９は本発明による第９４実施例を図示したもので、これは前記第９３実施例に於いて、第２遊星ギヤセット６を組合する時、第３単純遊星ギヤセット２４の太陽ギヤ２８とリングギヤ３６を第４単純遊星ギヤセット２６の太陽ギヤ３８と遊星キャリア３４に各々固定連結して組合した。
そして前記第３単純遊星ギヤセット２４の遊星キャリア３０を第２単純遊星ギヤセット１０のリングギヤ１６に固定連結し、第３単純遊星ギヤセット２４の太陽ギヤ３２と、第３、４単純遊星ギヤセット２６のリングギヤ３６と遊星キャリア３４各々に第１、２クラッチ４２、４４を介在して相互固定連結されている第１、２単純遊星ギヤセット８、１０のリングギヤ２２と太陽ギヤ２０に可変的に連結した。
また、第３、４単純遊星ギヤセット２４、２６の太陽ギヤ２８、３８を変速機ハウジング４６との間に第２ブレーキ５０に介在、連結して選択的な反力要素として作用させ、第３単純遊星ギヤセット２４のリングギヤ２８を出力要素として作用させた。
【０２４０】
前記構成により第２遊星ギヤセット６は第１作動要素Ｇが第４単純遊星ギヤセット２４のリングギヤ３２、第２作動要素Ｈが第３、４単純遊星ギヤセット２４、２６のリングギヤ３６と遊星キャリア３４、第３作動要素Ｉが第３単純遊星ギヤセット２４の遊星キャリア３０、第４作動要素Ｄが第３、４単純遊星ギヤセット２４、２６の太陽ギヤ２８、３８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２４１】
［第９５実施例］
図１００は本発明による第９５実施例を図示したもので、これは前記第９３実施例に於いて、第２遊星ギヤセット６を組合する時、第３単純遊星ギヤセット２４の遊星キャリア３０とリングギヤ３６を第４単純遊星ギヤセット２６のリングギヤ３２と遊星キャリア３４に各々固定的に連結した。
そして前記第３、４単純遊星ギヤセット２４、２６の遊星キャリア３０とリングギヤ３２を第２単純遊星ギヤセット１０の遊星キャリア１８に固定連結し、第４単純遊星ギヤセット２６の太陽ギヤ３８と、第３、４単純遊星ギヤセット２４、２６のリングギヤ３６と遊星キャリア３４各々に第１、２クラッチ４２、４４を介在して相互固定連結されている第１、２単純遊星ギヤセット８、１０のリングギヤ２２と太陽ギヤ２０に可変的に連結した。
また、第３単純遊星ギヤセット２４の太陽ギヤ２８を変速機ハウジング４６との間に第２ブレーキ５０に介在、連結して選択的な反力要素として作用させ、第４単純遊星ギヤセット２６の太陽ギヤ３８を出力要素として作用させた。
【０２４２】
前記構成により第２遊星ギヤセット６は第１作動要素Ｇが第４単純遊星ギヤセット２６の太陽ギヤ３８、第２作動要素Ｈが第３、４単純遊星ギヤセット２４、２６のリングギヤ３６と遊星キャリア３４、第３作動要素Ｉが第３、４単純遊星ギヤセット２４、２６の遊星キャリア３０とリングギヤ３２、第４作動要素Ｄが第３単純遊星ギヤセット２４の太陽ギヤ２８で設定される４つの作動要素を保有する。
かかる構成の第１、２遊星ギヤセット４、６の各作動要素は第１実施例と同様に第１遊星ギヤセットの第４作動要素Ｄが第２遊星ギヤセット６の第３作動要素Ｉと固定的に一体になり、第１遊星ギヤセット４の第２作動要素Ｂが第２遊星ギヤセット６の第１、２作動要素Ｇ、Ｈと選択的に一体になる構成で組合される。
これにより第１遊星ギヤセット４の第１作動要素Ａに入力され、第１遊星ギヤセット４の第３作動要素Ｃと第２遊星ギヤセット６の第４作動要素Ｊが選択的な反力要素として作用し、第２遊星ギヤセット６の第１作動要素Ｇを通じて出力される。
そしてこれら作動は第２遊星ギヤセット６の各作動要素を構成する部品だけ第１実施例と異なるだけで各変速段で同一作動要素の作動により変速が行われるようが、その詳しい説明は省略する。
【０２４３】
【発明の効果】
以上のように本発明によると、４つの単純遊星ギヤセットを４つの摩擦要素を利用して組合することにより、前進５速及び後進１速の変速比を実現し、オーバードライバ時出力要素より速く回転する作動要素をなくして動力損失を最小化することができる。
また、摩擦要素の適用数字が小さいため、軽くて小さい利点がある。
【図面の簡単な説明】
【図１】本発明による第１実施例のパワートレイン構成図である。
【図２】本発明によるパワートレインの基本構成図である。
【図３】図２を参照して本発明による第１実施例の前進１、２、３速の速度線図である。
【図４】図２を参照して本発明による第１実施例の前進４、５速の速度線図である。
【図５】図２を参照して本発明による第１実施例の後進速度線図である。
【図６】本発明によるパワートレインを運用するための摩擦要素の作動表である。
【図７】本発明による第２実施例のパワートレイン構成図である。
【図８】本発明による第３実施例のパワートレイン構成図である。
【図９】本発明による第４実施例のパワートレイン構成図である。
【図１０】本発明による第５実施例のパワートレイン構成図である。
【図１１】本発明による第６実施例のパワートレイン構成図である。
【図１２】本発明による第７実施例のパワートレイン構成図である。
【図１３】本発明による第８実施例のパワートレイン構成図である。
【図１４】本発明による第９実施例のパワートレイン構成図である。
【図１５】本発明による第１０実施例のパワートレイン構成図である。
【図１６】本発明による第１１実施例のパワートレイン構成図である。
【図１７】本発明による第１２実施例のパワートレイン構成図である。
【図１８】本発明による第１３実施例のパワートレイン構成図である。
【図１９】本発明による第１４実施例のパワートレイン構成図である。
【図２０】本発明による第１５実施例のパワートレイン構成図である。
【図２１】本発明による第１６実施例のパワートレイン構成図である。
【図２２】本発明による第１７実施例のパワートレイン構成図である。
【図２３】本発明による第１８実施例のパワートレイン構成図である。
【図２４】本発明による第１９実施例のパワートレイン構成図である。
【図２５】本発明による第２０実施例のパワートレイン構成図である。
【図２６】本発明による第２１実施例のパワートレイン構成図である。
【図２７】本発明による第２２実施例のパワートレイン構成図である。
【図２８】本発明による第２３実施例のパワートレイン構成図である。
【図２９】本発明による第２４実施例のパワートレイン構成図である。
【図３０】本発明による第２５実施例のパワートレイン構成図である。
【図３１】本発明による第２６実施例のパワートレイン構成図である。
【図３２】本発明による第２７実施例のパワートレイン構成図である。
【図３３】本発明による第２８実施例のパワートレイン構成図である。
【図３４】本発明による第２９実施例のパワートレイン構成図である。
【図３５】本発明による第３０実施例のパワートレイン構成図である。
【図３６】本発明による第３１実施例のパワートレイン構成図である。
【図３７】本発明による第３２実施例のパワートレイン構成図である。
【図３８】本発明による第３３実施例のパワートレイン構成図である。
【図３９】本発明による第３４実施例のパワートレイン構成図である。
【図４０】本発明による第３５実施例のパワートレイン構成図である。
【図４１】本発明による第３６実施例のパワートレイン構成図である。
【図４２】本発明による第３７実施例のパワートレイン構成図である。
【図４３】本発明による第３８実施例のパワートレイン構成図である。
【図４４】本発明による第３９実施例のパワートレイン構成図である。
【図４５】本発明による第４０実施例のパワートレイン構成図である。
【図４６】本発明による第４１実施例のパワートレイン構成図である。
【図４７】本発明による第４２実施例のパワートレイン構成図である。
【図４８】本発明による第４３実施例のパワートレイン構成図である。
【図４９】本発明による第４４実施例のパワートレイン構成図である。
【図５０】本発明による第４５実施例のパワートレイン構成図である。
【図５１】本発明による第４６実施例のパワートレイン構成図である。
【図５２】本発明による第４７実施例のパワートレイン構成図である。
【図５３】本発明による第４８実施例のパワートレイン構成図である。
【図５４】本発明による第４９実施例のパワートレイン構成図である。
【図５５】本発明による第５０実施例のパワートレイン構成図である。
【図５６】本発明による第５１実施例のパワートレイン構成図である。
【図５７】本発明による第５２実施例のパワートレイン構成図である。
【図５８】本発明による第５３実施例のパワートレイン構成図である。
【図５９】本発明による第５４実施例のパワートレイン構成図である。
【図６０】本発明による第５５実施例のパワートレイン構成図である。
【図６１】本発明による第５６実施例のパワートレイン構成図である。
【図６２】本発明による第５７実施例のパワートレイン構成図である。
【図６３】本発明による第５８実施例のパワートレイン構成図である。
【図６４】本発明による第５９実施例のパワートレイン構成図である。
【図６５】本発明による第６０実施例のパワートレイン構成図である。
【図６６】本発明による第６１実施例のパワートレイン構成図である。
【図６７】本発明による第６２実施例のパワートレイン構成図である。
【図６８】本発明による第６３実施例のパワートレイン構成図である。
【図６９】本発明による第６４実施例のパワートレイン構成図である。
【図７０】本発明による第６５実施例のパワートレイン構成図である。
【図７１】本発明による第６６実施例のパワートレイン構成図である。
【図７２】本発明による第６７実施例のパワートレイン構成図である。
【図７３】本発明による第６８実施例のパワートレイン構成図である。
【図７４】本発明による第６９実施例のパワートレイン構成図である。
【図７５】本発明による第７０実施例のパワートレイン構成図である。
【図７６】本発明による第７１実施例のパワートレイン構成図である。
【図７７】本発明による第７２実施例のパワートレイン構成図である。
【図７８】本発明による第７３実施例のパワートレイン構成図である。
【図７９】本発明による第７４実施例のパワートレイン構成図である。
【図８０】本発明による第７５実施例のパワートレイン構成図である。
【図８１】本発明による第７６実施例のパワートレイン構成図である。
【図８２】本発明による第７７実施例のパワートレイン構成図である。
【図８３】本発明による第７８実施例のパワートレイン構成図である。
【図８４】本発明による第７９実施例のパワートレイン構成図である。
【図８５】本発明による第８０実施例のパワートレイン構成図である。
【図８６】本発明による第８１実施例のパワートレイン構成図である。
【図８７】本発明による第８２実施例のパワートレイン構成図である。
【図８８】本発明による第８３実施例のパワートレイン構成図である。
【図８９】本発明による第８４実施例のパワートレイン構成図である。
【図９０】本発明による第８５実施例のパワートレイン構成図である。
【図９１】本発明による第８６実施例のパワートレイン構成図である。
【図９２】本発明による第８７実施例のパワートレイン構成図である。
【図９３】本発明による第８８実施例のパワートレイン構成図である。
【図９４】本発明による第８９実施例のパワートレイン構成図である。
【図９５】本発明による第９０実施例のパワートレイン構成図である。
【図９６】本発明による第９１実施例のパワートレイン構成図である。
【図９７】本発明による第９２実施例のパワートレイン構成図である。
【図９８】本発明による第９３実施例のパワートレイン構成図である。
【図９９】本発明による第９４実施例のパワートレイン構成図である。
【図１００】本発明による第９５実施例のパワートレイン構成図である。
【符号の説明】
Ａ、Ｇ  第１作動要素
Ｂ、Ｈ  第２作動要素
Ｃ、Ｉ  第３作動要素
Ｄ、Ｊ  第４作動要素
Ｅ  エンジン
Ｔ  トルクコンバーター
２  入力軸
４  第１遊星ギヤセット
６  第２遊星ギヤセット
８  第１単純遊星ギヤセット
１０  第２単純遊星ギヤセット
１２  第１単純遊星ギヤセットの太陽ギヤ
１４  第２単純遊星ギヤセットの遊星キャリア
１６  第２単純遊星ギヤセットのリングギヤ
１８  第２単純遊星ギヤセットの遊星キャリア
２０  第２単純遊星ギヤセットの太陽ギヤ
２２  第１単純遊星ギヤセットのリングギヤ
２４  第３単純遊星ギヤセット
２６  第４単純遊星ギヤセット
２８  第３単純遊星ギヤセットの太陽ギヤ
３０  第３単純遊星ギヤセットの遊星キャリア
３２  第４単純遊星ギヤセットのリングギヤ、太陽ギヤ
３４  第４単純遊星ギヤセットの遊星キャリア
３６  第３単純遊星ギヤセットのリングギヤ
３８  第４単純遊星ギヤセットの太陽ギヤ
４０  出力ギヤ
４２  第１クラッチ
４４  第２クラッチ
４６  変速機ハウジング
４８  第１ブレーキ
５０  第２ブレーキ
【図１】
0004045336.tif 000002
【図２】
0004045336.tif 000003
【図３】
0004045336.tif 000004
【図４】
0004045336.tif 000005
【図５】
0004045336.tif 000006
【図６】
0004045336.tif 000007
【図７】
0004045336.tif 000008
【図８】
0004045336.tif 000009
【図９】
0004045336.tif 000010
【図１０】
0004045336.tif 000011
【図１１】
0004045336.tif 000012
【図１２】
0004045336.tif 000013
【図１３】
0004045336.tif 000014
【図１４】
0004045336.tif 000015
【図１５】
0004045336.tif 000016
【図１６】
0004045336.tif 000017
【図１７】
0004045336.tif 000018
【図１８】
0004045336.tif 000019
【図１９】
0004045336.tif 000020
【図２０】
0004045336.tif 000021
【図２１】
0004045336.tif 000022
【図２２】
0004045336.tif 000023
【図２３】
0004045336.tif 000024
【図２４】
0004045336.tif 000025
【図２５】
0004045336.tif 000026
【図２６】
0004045336.tif 000027
【図２７】
0004045336.tif 000028
【図２８】
0004045336.tif 000029
【図２９】
0004045336.tif 000030
【図３０】
0004045336.tif 000031
【図３１】
0004045336.tif 000032
【図３２】
0004045336.tif 000033
【図３３】
0004045336.tif 000034
【図３４】
0004045336.tif 000035
【図３５】
0004045336.tif 000036
【図３６】
0004045336.tif 000037
【図３７】
0004045336.tif 000038
【図３８】
0004045336.tif 000039
【図３９】
0004045336.tif 000040
【図４０】
0004045336.tif 000041
【図４１】
0004045336.tif 000042
【図４２】
0004045336.tif 000043
【図４３】
0004045336.tif 000044
【図４４】
0004045336.tif 000045
【図４５】
0004045336.tif 000046
【図４６】
0004045336.tif 000047
【図４７】
0004045336.tif 000048
【図４８】
0004045336.tif 000049
【図４９】
0004045336.tif 000050
【図５０】
0004045336.tif 000051
【図５１】
0004045336.tif 000052
【図５２】
0004045336.tif 000053
【図５３】
0004045336.tif 000054
【図５４】
0004045336.tif 000055
【図５５】
0004045336.tif 000056
【図５６】
0004045336.tif 000057
【図５７】
0004045336.tif 000058
【図５８】
0004045336.tif 000059
【図５９】
0004045336.tif 000060
【図６０】
0004045336.tif 000061
【図６１】
0004045336.tif 000062
【図６２】
0004045336.tif 000063
【図６３】
0004045336.tif 000064
【図６４】
0004045336.tif 000065
【図６５】
0004045336.tif 000066
【図６６】
0004045336.tif 000067
【図６７】
0004045336.tif 000068
【図６８】
0004045336.tif 000069
【図６９】
0004045336.tif 000070
【図７０】
0004045336.tif 000071
【図７１】
0004045336.tif 000072
【図７２】
0004045336.tif 000073
【図７３】
0004045336.tif 000074
【図７４】
0004045336.tif 000075
【図７５】
0004045336.tif 000076
【図７６】
0004045336.tif 000077
【図７７】
0004045336.tif 000078
【図７８】
0004045336.tif 000079
【図７９】
0004045336.tif 000080
【図８０】
0004045336.tif 000081
【図８１】
0004045336.tif 000082
【図８２】
0004045336.tif 000083
【図８３】
0004045336.tif 000084
【図８４】
0004045336.tif 000085
【図８５】
0004045336.tif 000086
【図８６】
0004045336.tif 000087
【図８７】
0004045336.tif 000088
【図８８】
0004045336.tif 000089
【図８９】
0004045336.tif 000090
【図９０】
0004045336.tif 000091
【図９１】
0004045336.tif 000092
【図９２】
0004045336.tif 000093
【図９３】
0004045336.tif 000094
【図９４】
0004045336.tif 000095
【図９５】
0004045336.tif 000096
【図９６】
0004045336.tif 000097
【図９７】
0004045336.tif 000098
【図９８】
0004045336.tif 000099
【図９９】
0004045336.tif 000100
【図１００】
0004045336.tif 000101